(57)【要約】  本願の実施形態は信号送信方法を提供し、方法は：端末デバイスにより、第１パラメータに基づいて第１サブキャリアの位置情報を決定するステップであって、第１パラメータは：サブキャリア間隔、ターゲット帯域幅、又はターゲット・リソース・ブロックの量のうちの少なくとも１つを含む、ステップ；第１サブキャリアの位置情報に基づいてアップリンク信号を決定するステップ；及びアップリンク信号をネットワーク・デバイスへ送信するステップを含む。これは、直流サブキャリアを示すために端末デバイスによりネットワーク・デバイスへ送信される追加的なシグナリング・オーバーヘッドを回避又は削減する。
2020533868.tif 000002
【特許請求の範囲】
【請求項１】
信号送信方法であって：
端末デバイスにより、第１パラメータに基づいて第１サブキャリアの位置情報を決定するステップであって、前記第１パラメータは：サブキャリア間隔、ターゲット帯域幅、又はターゲット・リソース・ブロックの量のうちの少なくとも１つを含む、ステップ；
前記端末デバイスにより、前記第１サブキャリアの前記位置情報に基づいてアップリンク信号を決定するステップ；及び
前記端末デバイスにより、前記アップリンク信号をネットワーク・デバイスへ送信するステップ；
を含む方法。
【請求項２】
前記第１パラメータが前記ターゲット帯域幅及び前記サブキャリア間隔であり、端末デバイスにより、第１パラメータに基づいて第１サブキャリアの位置情報を決定する前記ステップは：
前記端末デバイスにより、前記ターゲット帯域幅及び前記サブキャリア間隔に基づいて前記第１サブキャリアの前記位置情報を決定するステップ；
を含む、請求項１に記載の方法。
【請求項３】
前記第１パラメータが前記ターゲット・リソース・ブロックの量であり、端末デバイスにより、第１パラメータに基づいて第１サブキャリアの位置情報を決定する前記ステップは：
前記端末デバイスにより、前記ターゲット・リソース・ブロックの量に基づいて前記第１サブキャリアの前記位置情報を決定するステップ；
を含む、請求項１に記載の方法。
【請求項４】
前記方法は更に：
第２サブキャリア間隔に対応する第２サブキャリアの位置は前記第１サブキャリアのものと同じであることを、前記端末デバイスにより決定するステップであって、前記第２サブキャリア間隔は、前記第１サブキャリアに対応するサブキャリア間隔以外のサブキャリア間隔である、ステップ；
を含む、請求項２又は３に記載の方法。
【請求項５】
前記ターゲット帯域幅は：
前記端末デバイスの送信帯域幅；又は
前記端末デバイスによりサポートされる最大送信帯域幅；
を含む、請求項２に記載の方法。
【請求項６】
前記ターゲット・リソース・ブロックの量は：
前記端末デバイスによりサポートされる前記最大送信帯域幅に対応するリソース・ブロックの量；又は
前記端末デバイスの前記送信帯域幅に対応するリソース・ブロックの量；
を含む、請求項１−５のうちの何れか１項に記載の方法。
【請求項７】
前記第１サブキャリアは、前記ターゲット帯域幅及び前記サブキャリア間隔に対応するセンター・サブキャリアである、請求項１−６のうちの何れか１項に記載の方法。
【請求項８】
前記第１サブキャリアの前記位置情報は、前記第１サブキャリアの番号を含む、請求項１−７のうちの何れか１項に記載の方法。
【請求項９】
前記第１サブキャリアの前記番号は、６の倍数であって１２の倍数ではないか、又は１２の倍数である、請求項１−８のうちの何れか１項に記載の方法。
【請求項１０】
信号受信方法であって：
ネットワーク・デバイスにより、第１パラメータに基づいて第１サブキャリアの位置情報を決定するステップであって、前記第１パラメータは：サブキャリア間隔、ターゲット帯域幅、又はターゲット・リソース・ブロックの量のうちの少なくとも１つを含む、ステップ；及び
前記端末ネットワーク・デバイスにより、前記第１サブキャリアの前記位置情報に対応する前記第１サブキャリアの位置でアップリンク信号を前記ネットワーク・デバイスにより受信するステップ；
を含む方法。
【請求項１１】
前記第１パラメータが前記ターゲット帯域幅及び前記サブキャリア間隔である場合に、ネットワーク・デバイスにより、第１パラメータに基づいて第１サブキャリアの位置情報を決定する前記ステップは：
前記ネットワーク・デバイスにより、前記ターゲット帯域幅及び前記サブキャリア間隔に基づいて前記第１サブキャリアの前記位置情報を決定するステップ；
を含む、請求項１０に記載の方法。
【請求項１２】
前記第１パラメータが前記ターゲット・リソース・ブロックの量である場合に、ネットワーク・デバイスにより、第１パラメータに基づいて第１サブキャリアの位置情報を決定する前記ステップは：
前記ネットワーク・デバイスにより、前記ターゲット・リソース・ブロックの量に基づいて前記第１サブキャリアの前記位置情報を決定するステップ；
を含む、請求項１０に記載の方法。
【請求項１３】
前記ターゲット帯域幅は：
前記ネットワーク・デバイスの送信帯域幅；又は
前記端末デバイスによりサポートされる最大送信帯域幅；
を含む、請求項１１に記載の方法。
【請求項１４】
前記ターゲット・リソース・ブロックの量は：
前記ネットワーク・デバイスによりサポートされる前記最大送信帯域幅に対応するリソース・ブロックの量；又は
前記ネットワーク・デバイスの前記送信帯域幅に対応するリソース・ブロックの量；
を含む、請求項１０−１３のうちの何れか１項に記載の方法。
【請求項１５】
前記第１サブキャリアは、前記ターゲット帯域幅及び前記サブキャリア間隔に対応するセンター・サブキャリアである、請求項１０−１４のうちの何れか１項に記載の方法。
【請求項１６】
前記第１サブキャリアの前記位置情報は、前記第１サブキャリアの番号を含む、請求項１０−１５のうちの何れか１項に記載の方法。
【請求項１７】
前記第１サブキャリアの前記番号は、６の倍数であって１２の倍数ではないか、又は１２の倍数である、請求項１０−１６のうちの何れか１項に記載の方法。
【請求項１８】
端末デバイスであって：
第１パラメータに基づいて第１サブキャリアの位置情報を決定し、前記第１サブキャリアの前記位置情報に基づいてアップリンク信号を決定するように構成されたプロセッサであって、前記第１パラメータは：サブキャリア間隔、ターゲット帯域幅、又はターゲット・リソース・ブロックの量のうちの少なくとも１つを含む、プロセッサ；及び
前記プロセッサにより決定された前記アップリンク信号をネットワーク・デバイスへ送信するように構成された送信機；
を含む端末デバイス。
【請求項１９】
前記プロセッサは、具体的に：前記第１パラメータが前記ターゲット帯域幅及び前記サブキャリア間隔である場合に、前記ターゲット帯域幅及び前記サブキャリア間隔に基づいて前記第１サブキャリアの前記位置情報を決定するように構成されている、請求項１８に記載の端末デバイス。
【請求項２０】
前記プロセッサは、具体的に：前記第１パラメータが前記ターゲット・リソース・ブロックの量である場合に、前記ターゲット・リソース・ブロックの量に基づいて前記第１サブキャリアの前記位置情報を決定するように構成されている、請求項１８に記載の端末デバイス。
【請求項２１】
前記プロセッサは、更に：
第２サブキャリア間隔に対応する第２サブキャリアの位置は前記第１サブキャリアのものと同じであることを決定するように構成され、前記第２サブキャリア間隔は、前記第１サブキャリアに対応するサブキャリア間隔以外のサブキャリア間隔である、請求項１９又は２０に記載の端末デバイス。
【請求項２２】
前記ターゲット帯域幅は：
前記端末デバイスの送信帯域幅；又は
前記端末デバイスによりサポートされる最大送信帯域幅；
を含む、請求項１９に記載の端末デバイス。
【請求項２３】
前記ターゲット・リソース・ブロックの量は：
前記端末デバイスによりサポートされる前記最大送信帯域幅に対応するリソース・ブロックの量；又は
前記端末デバイスの前記送信帯域幅に対応するリソース・ブロックの量；
を含む、請求項１８−２２のうちの何れか１項に記載の端末デバイス。
【請求項２４】
前記第１サブキャリアは、前記ターゲット帯域幅及び前記サブキャリア間隔に対応するセンター・サブキャリアである、請求項１８−２３のうちの何れか１項に記載の端末デバイス。
【請求項２５】
前記第１サブキャリアの前記位置情報は、前記第１サブキャリアの番号を含む、請求項１８−２４のうちの何れか１項に記載の端末デバイス。
【請求項２６】
前記第１サブキャリアの前記番号は、６の倍数であって１２の倍数ではないか、又は１２の倍数である、請求項１８−２５のうちの何れか１項に記載の端末デバイス。
【請求項２７】
ネットワーク・デバイスであって：
第１パラメータに基づいて第１サブキャリアの位置情報を決定するように構成されたプロセッサであって、前記第１パラメータは：サブキャリア間隔、ターゲット帯域幅、又はターゲット・リソース・ブロックの量のうちの少なくとも１つを含む、プロセッサ；及び
前記プロセッサにより決定された前記第１サブキャリアの前記位置情報に対応する前記第１サブキャリアの位置でアップリンク信号を受信するように構成された受信機；
を含むネットワーク・デバイス。
【請求項２８】
前記プロセッサは、具体的に：前記第１パラメータが前記ターゲット帯域幅及び前記サブキャリア間隔である場合に、前記ターゲット帯域幅及び前記サブキャリア間隔に基づいて前記第１サブキャリアの前記位置情報を決定するように構成されている、請求項２７に記載のネットワーク・デバイス。
【請求項２９】
前記プロセッサは、具体的に：前記第１パラメータが前記ターゲット・リソース・ブロックの量である場合に、前記ターゲット・リソース・ブロックの量に基づいて前記第１サブキャリアの前記位置情報を決定するように構成されている、請求項２７に記載のネットワーク・デバイス。
【請求項３０】
前記ターゲット帯域幅は：
前記ネットワーク・デバイスの送信帯域幅；又は
前記端末デバイスによりサポートされる最大送信帯域幅；
を含む、請求項２８に記載のネットワーク・デバイス。
【請求項３１】
前記ターゲット・リソース・ブロックの量は：
前記ネットワーク・デバイスによりサポートされる前記最大送信帯域幅に対応するリソース・ブロックの量；又は
前記ネットワーク・デバイスの前記送信帯域幅に対応するリソース・ブロックの量；
を含む、請求項２７−３０のうちの何れか１項に記載のネットワーク・デバイス。
【請求項３２】
前記第１サブキャリアは、前記ターゲット帯域幅及び前記サブキャリア間隔に対応するセンター・サブキャリアである、請求項２７−３１のうちの何れか１項に記載のネットワーク・デバイス。
【請求項３３】
前記第１サブキャリアの前記位置情報は、前記第１サブキャリアの番号を含む、請求項２７−３２のうちの何れか１項に記載のネットワーク・デバイス。
【請求項３４】
前記第１サブキャリアの前記番号は、６の倍数であって１２の倍数ではないか、又は１２の倍数である、請求項２７−３３のうちの何れか１項に記載のネットワーク・デバイス。
【請求項３５】
信号送信方法であって：
端末デバイスにより、第１オフセットを決定するステップであって、前記第１オフセットは、第１サブキャリアの番号とターゲット帯域幅のセンター・サブキャリアの番号との間の差分であり、前記第１オフセットは前記第１サブキャリアのサブキャリア間隔に関連している、ステップ；
前記端末デバイスにより、ターゲット・リソース・ブロックの量及び前記第１オフセットに基づいて前記第１サブキャリアの位置を決定し、前記第１サブキャリアの前記位置に基づいてアップリンク信号を決定するステップであって、前記ターゲット・リソース・ブロックの量は、前記ターゲット帯域幅及び前記サブキャリア間隔に対応し、前記第１サブキャリアの前記位置は前記アップリンク信号のキャリア周波数位置と同じである、ステップ；及び
前記端末デバイスにより、前記アップリンク信号をネットワーク・デバイスへ送信するステップ；
を含む方法。
【請求項３６】
前記第１オフセットは０である、請求項３５に記載の方法。
【請求項３７】
前記第１サブキャリアに対応する前記サブキャリア間隔は、前記ターゲット帯域幅によりサポートされる最大サブキャリア間隔である、請求項３６に記載の方法。
【請求項３８】
前記方法は更に：
第２サブキャリア間隔に対応する第２サブキャリアの位置は前記第１サブキャリアのものと同じであることを、前記端末デバイスにより決定するステップであって、前記第２サブキャリア間隔は、前記第１サブキャリアに対応するサブキャリア間隔以外のサブキャリア間隔である、ステップ；
を含む請求項３７に記載の方法。
【請求項３９】
端末デバイスにより、第１オフセットを決定する前記ステップは：
前記端末デバイスにより、前記ターゲット・リソース・ブロックの量に基づいて前記第１オフセットを決定するステップ；
を含む、請求項３５−３８のうちの何れか１項に記載の方法。
【請求項４０】
前記ターゲット帯域幅は、前記端末デバイスのために前記ネットワーク・デバイスにより設定される、請求項３５−３９のうちの何れか１項に記載の方法。
【請求項４１】
信号送信装置であって：
第１オフセットを決定するように構成されたユニットであって、前記第１オフセットは、第１サブキャリアの番号とターゲット帯域幅のセンター・サブキャリアの番号との間の差分であり、前記第１オフセットは前記第１サブキャリアのサブキャリア間隔に関連している、ユニット；
ターゲット・リソース・ブロックの量及び前記第１オフセットに基づいて前記第１サブキャリアの位置を決定するように構成されたユニット；
前記第１サブキャリアの前記位置に基づいてアップリンク信号を決定するように構成されたユニットであって、前記ターゲット・リソース・ブロックの量は、前記ターゲット帯域幅及び前記サブキャリア間隔に対応し、前記第１サブキャリアの前記位置は前記アップリンク信号のキャリア周波数位置と同じである、ユニット；及び
前記アップリンク信号をネットワーク・デバイスへ送信するように構成されたユニット；
を含む装置。
【請求項４２】
前記第１オフセットは０である、請求項４１に記載の装置。
【請求項４３】
前記第１サブキャリアに対応する前記サブキャリア間隔は、前記ターゲット帯域幅によりサポートされる最大サブキャリア間隔である、請求項４２に記載の装置。
【請求項４４】
前記装置は更に：
第２サブキャリア間隔に対応する第２サブキャリアの位置は前記第１サブキャリアのものと同じであることを決定するように構成されたユニットであって、前記第２サブキャリア間隔は、前記第１サブキャリアに対応するサブキャリア間隔以外のサブキャリア間隔である、ユニット；
を含む請求項４３に記載の装置。
【請求項４５】
前記第１オフセットを決定するように構成された前記ユニットは、具体的に：
前記ターゲット・リソース・ブロックの量に基づいて前記第１オフセットを決定する；
ように構成されている、請求項４１−４４のうちの何れか１項に記載の装置。
【請求項４６】
前記ターゲット帯域幅は、前記端末デバイスのために前記ネットワーク・デバイスにより設定される、請求項４１−４５のうちの何れか１項に記載の装置。
【発明の詳細な説明】
【背景技術】
【０００１】
本願は２０１８年２月１４日付けで中国国家知識産権局に出願された「信号送信方法及び装置並びに信号受信方法及び装置」と題する中国特許出願第２０１８１０１５１９２９．２号、２０１７年１１月１７日付けで中国国家知識産権局に出願された「信号送信方法及び装置並びに信号受信方法及び装置」と題する出願第２０１７１１１４３８１１．７号、及び２０１７年９月８日付けで中国特許庁に出願された「信号送信方法及び装置並びに信号受信方法及び装置」と題する出願第２０１７１０８０６２７１．Ｘ号に対する優先権を主張しており、これらは全体的にリファレンスにより本願に組み込まれる。
技術分野
【０００２】
本願は無線通信技術の分野、具体的には信号送信方法、信号受信方法、及び装置に関連する。
背景
【０００３】
例えば、ロング・ターム・エボリューション（Ｌｏｎｇ  Ｔｅｒｍ  Ｅｖｏｌｕｔｉｏｎ，ＬＴＥ）システム及び５Ｇニュー・ラジオ・インタフェース（ｎｅｗ  ｒａｄｉｏ  ｉｎｔｅｒｆａｃｅ，ＮＲシステムのような無線通信システムの配備の際に、直交周波数分割多元接続の多重化技術が使用される。具体的には、周波数ドメインにおける通信リソース・ブロックは周波数ドメイン・リソース・ブロック（ｐｈｙｓｉｃａｌ  ｒｅｓｏｕｒｃｅ  ｂｌｏｃｋ，ＰＲＢ）であり、１つのＰＲＢは１２個のサブキャリアを含む。現在、ＮＲ規格では、複数の帯域幅及び異なるサブキャリア間隔が既に定義されている。例えば、表１に示すように、５ＭＨｚ、１０ＭＨｚ、１５ＭＨｚ、２０ＭＨｚは帯域幅であり、ＮＲＢはターゲット・リソース・ブロックの量である。
表１
【表１】
2020533868.tif 000003
【０００４】
指定された帯域幅又は指定された帯域幅部分（ｂａｎｄｗｉｄｔｈ  ｐａｒｔ，ＢＷＰ）に対して、各サブキャリア間隔は異なる量のＰＲＢに対応し、より大きなサブキャリア間隔に対応するＰＲＢの量は、より小さなサブキャリア間隔に対応するＰＲＢの量よりも小さい。帯域幅は、表１に列挙された４つの値に限定されず、更に、３０ＭＨｚ又は５０ＭＨｚ等の２０ＭＨｚを超える値であってもよいことに留意すべきである。サブキャリア間隔も表１に列挙された３つの値に限定されず、更に、１２０ＫＨｚ等の６０ＫＨｚより大きな値であってもよい。
【０００５】
情報を送信する場合、送信デバイスは、帯域幅の複数のサブキャリアから１つを直流（ＤＣ）サブキャリアとして選択することができる。例えば、表１によれば、帯域幅が５ＭＨｚでサブキャリア間隔が１５ｋＨｚである場合、合計２５個のＰＲＢが存在し、各ＰＲＢは１２個のサブキャリアを含む。従って合計２５×１２＝３００個のサブキャリアが存在し、送信デバイスは３００サブキャリアから１つを直流サブキャリアとして選択する。３００個のサブキャリアは、通常、０ないし２９９で付番され、１４９として付番されたサブキャリア又は１５０として付番されたサブキャリアの何れかが、帯域幅のセンター・サブキャリアと言及され得ることに留意すべきである。送信デバイスは、指示情報を受信デバイスへ送信することができ、指示情報は、直流サブキャリアの位置情報を通知するために使用される。
【０００６】
上述したように、送信デバイスが複数のサブキャリアの中からサブキャリアを直流サブキャリアとしてランダムに選択できるように、受信デバイスは、信号を送信するために送信デバイスにより使用された直流サブキャリアの位置情報を知る必要がある。従って、受信デバイスが直流サブキャリアの位置情報を知ることが可能であるように、送信デバイスは、指示情報を受信デバイスへ追加的に送信する必要があり、指示情報は、直流サブキャリアの位置情報を通知するために使用され、それによってシグナリング・オーバーヘッドを増大させる。
【発明の概要】
【０００７】
この観点から、本願の実施形態は、信号送信方法及び信号受信方法を提供し、直流サブキャリアを指示するために送信デバイスにより受信デバイスへ送信される追加的なシグナリング・オーバーヘッドを低減する。
【０００８】
第１態様によれば、本願の実施形態は信号送信方法を提供し、方法は：端末デバイスにより、第１パラメータに基づいて第１サブキャリアの位置情報を決定するステップであって、第１パラメータは：サブキャリア間隔、ターゲット帯域幅、又はターゲット・リソース・ブロックの量のうちの少なくとも１つを含む、ステップ；第１サブキャリアの位置情報に基づいてアップリンク信号を決定するステップ；及びアップリンク信号をネットワーク・デバイスへ送信するステップを含む。このソリューションは、端末デバイスによって送信されたアップリンク信号をネットワーク・デバイスにより受信する受信パフォーマンスを保証し、直流サブキャリアを指示するために端末デバイスによりネットワーク・デバイスへ送信される追加的なシグナリング・オーバーヘッドを回避又は低減することができる。
【０００９】
一例において、第１パラメータがターゲット帯域幅及びサブキャリア間隔である場合に、端末デバイスにより、第１パラメータに基づいて第１サブキャリアの位置情報を決定するステップは：端末デバイスにより、ターゲット帯域幅及びサブキャリア間隔に基づいて第１サブキャリアの位置情報を決定するステップを含む。このソリューションでは、端末デバイスが異なるサブキャリア間隔を有する信号を送信する場合に、キャリア周波数又は無線周波数局部発振器の位置は、第１サブキャリアの位置に整合し、より良い受信パフォーマンス、例えば無線周波数パフォーマンスを得ることができる。
【００１０】
別の例において、第１パラメータがターゲット・リソース・ブロックの量である場合に、端末デバイスにより、第１パラメータに基づいて第１サブキャリアの位置情報を決定するステップは：端末デバイスにより、ターゲット・リソース・ブロックの量に基づいて第１サブキャリアの位置情報を決定するステップを含む。このソリューションでは、送信帯域幅のサブキャリア間隔の任意の値に対して、端末デバイスにより決定された第１サブキャリアが送信帯域幅のセンター・サブキャリアであり、そのため、端末デバイスが異なるサブキャリア間隔を有する信号を送信する場合に、キャリア周波数又は無線周波数局部発振器の位置は第１サブキャリアの位置に整合し、比較的望ましい受信パフォーマンス、例えば無線周波数パフォーマンスを得ることができる。
【００１１】
別の例において、端末デバイスは、第２サブキャリア間隔に対応する第２サブキャリアの位置は第１サブキャリアのものと同じであると決定し、ここで、第２サブキャリア間隔は、第１サブキャリアに対応するサブキャリア間隔以外のサブキャリア間隔である。
【００１２】
第２態様によれば、本願の実施形態は信号受信方法を提供し、方法は：ネットワーク・デバイスにより、第１パラメータに基づいて第１サブキャリアの位置情報を決定するステップであって、第１パラメータは：サブキャリア間隔、ターゲット帯域幅、又はターゲット・リソース・ブロックの量のうちの少なくとも１つを含む、ステップ；及び第１サブキャリアの位置情報に対応する第１サブキャリアの位置でアップリンク信号を受信するステップを含む。
【００１３】
一例において、第１パラメータがターゲット帯域幅及びサブキャリア間隔である場合に、ネットワーク・デバイスにより、第１パラメータに基づいて第１サブキャリアの位置情報を決定するステップは：ネットワーク・デバイスにより、ターゲット帯域幅及びサブキャリア間隔に基づいて第１サブキャリアの位置情報を決定するステップを含む。
【００１４】
別の例において、第１パラメータがターゲット・リソース・ブロックの量である場合に、ネットワーク・デバイスにより、第１パラメータに基づいて第１サブキャリアの位置情報を決定するステップは：ネットワーク・デバイスにより、ターゲット・リソース・ブロックの量に基づいて第１サブキャリアの位置情報を決定するステップを含む。
【００１５】
第２態様の実施形態の有益な効果については、第１態様の実施形態のものを参照されたい、ということに特に留意すべきである。詳細はここで再び説明されない。
【００１６】
第３態様によれば、本願の実施形態は端末デバイスを提供する。端末デバイスは、上記の方法設計における端末デバイスの挙動を実装する機能を有する。機能は、ハードウェアを用いて実現することもできるし、あるいは対応するソフトウェアを実行するハードウェアによって実現することもできる。ハードウェア又はソフトウェアは、前述の機能に対応する１つ以上のモジュールを含む。モジュールは、ソフトウェア及び／又はハードウェアであってもよい。
【００１７】
可能な設計において、端末デバイスは：プロセッサ及び送信機を含む。プロセッサは：  第１パラメータに基づいて第１サブキャリアの位置情報を決定し、第１サブキャリアの位置情報に基づいてアップリンク信号を決定するように構成され、ここで、第１パラメータは：サブキャリア間隔、ターゲット帯域幅、又はターゲット・リソース・ブロックの量のうちの少なくとも１つを含む。送信機は、プロセッサにより決定されたアップリンク信号をネットワーク・デバイスへ送信するように構成される。
【００１８】
一例において、プロセッサは、具体的に：第１パラメータがターゲット帯域幅及びサブキャリア間隔である場合に、ターゲット帯域幅及びサブキャリア間隔に基づいて第１サブキャリアの位置情報を決定するように構成されている。
【００１９】
別の例において、プロセッサは、具体的に：第１パラメータがターゲット・リソース・ブロックの量である場合に、ターゲット・リソース・ブロックの量に基づいて第１サブキャリアの位置情報を決定するように構成されている。
【００２０】
別の例において、プロセッサは、更に：第２サブキャリア間隔に対応する第２サブキャリアの位置は第１サブキャリアのものと同じであることを決定するように構成され、ここで、第２サブキャリア間隔は、第１サブキャリアに対応するサブキャリア間隔以外のサブキャリア間隔である。
【００２１】
第３態様の実施形態の有益な効果については、第１態様の実施形態のものを参照されたい、ということに特に留意すべきである。詳細はここで再び説明されない。
【００２２】
第４態様によれば、本願の実施形態はネットワーク・デバイスを提供する。ネットワーク・デバイスは、上記の方法設計におけるネットワーク・デバイスの挙動を実装する機能を有する。機能は、ハードウェアを用いて実現することもできるし、あるいは対応するソフトウェアを実行するハードウェアによって実現することもできる。ハードウェア又はソフトウェアは、前述の機能に対応する１つ以上のモジュールを含む。
【００２３】
可能な設計において、ネットワーク・デバイスは：第１パラメータに基づいて第１サブキャリアの位置情報を決定するように構成されたプロセッサであって、第１パラメータは：サブキャリア間隔、ターゲット帯域幅、又はターゲット・リソース・ブロックの量のうちの少なくとも１つを含む、プロセッサ；及びプロセッサにより決定された第１サブキャリアの位置情報に対応する第１サブキャリアの位置でアップリンク信号を受信するように構成された受信機を含む。
【００２４】
一例において、プロセッサは、具体的に：第１パラメータがターゲット帯域幅及びサブキャリア間隔である場合に、ターゲット帯域幅及びサブキャリア間隔に基づいて第１サブキャリアの位置情報を決定するように構成されている。
【００２５】
別の例において、プロセッサは、具体的に：第１パラメータがターゲット・リソース・ブロックの量である場合に、ターゲット・リソース・ブロックの量に基づいて第１サブキャリアの位置情報を決定するように構成されている。
【００２６】
第４態様の実施形態の有益な効果については、第１態様の実施形態のものを参照されたい、ということに特に留意すべきである。詳細はここで再び説明されない。
【００２７】
第５態様によれば、本願の実施形態は信号送信方法を提供し、方法は：ネットワーク・デバイスにより、第１パラメータに基づいて第１サブキャリアの位置情報を決定するステップであって、第１パラメータは：サブキャリア間隔、ターゲット帯域幅、又はターゲット・リソース・ブロックの量のうちの少なくとも１つを含む、ステップ；ネットワーク・デバイスにより、第１サブキャリアの位置情報に基づいてダウンリンク信号を決定するステップ；及びネットワーク・デバイスにより、ダウンリンク信号をネットワーク・デバイスへ送信するステップを含む。このソリューションは、ネットワーク・デバイスによって送信されたダウンリンク信号を端末デバイスにより受信する受信パフォーマンスを保証し、直流サブキャリアを指示するためにネットワーク・デバイスにより端末デバイスへ送信される追加的なシグナリング・オーバーヘッドを回避することができる。
【００２８】
一例において、第１パラメータがターゲット帯域幅及びサブキャリア間隔である場合に、ネットワーク・デバイスにより、第１パラメータに基づいて第１サブキャリアの位置情報を決定するステップは：ネットワーク・デバイスにより、ターゲット帯域幅及びサブキャリア間隔に基づいて第１サブキャリアの位置情報を決定するステップを含む。このソリューションでは、ネットワーク・デバイスが異なるサブキャリア間隔を有する信号を送信する場合に、キャリア周波数又は無線周波数局部発振器の位置は、第１サブキャリアの位置に整合し、より良い無線周波数パフォーマンスを得ることができる。
【００２９】
別の例において、第１パラメータがターゲット・リソース・ブロックの量である場合に、ネットワーク・デバイスにより、第１パラメータに基づいて第１サブキャリアの位置情報を決定するステップは：ネットワーク・デバイスにより、ターゲット・リソース・ブロックの量に基づいて第１サブキャリアの位置情報を決定するステップを含む。このソリューションでは、送信帯域幅のサブキャリア間隔の任意の値に対して、ネットワーク・デバイスにより決定された第１サブキャリアが送信帯域幅のセンター・サブキャリアであり、そのため、ネットワーク・デバイスが異なるサブキャリア間隔を有する信号を送信する場合に、キャリア周波数又は無線周波数局部発振器の位置は第１サブキャリアの位置に整合し、比較的望ましい無線周波数パフォーマンスを得ることができる。
【００３０】
別の例において、ネットワーク・デバイスは、第２サブキャリア間隔に対応する第２サブキャリアの位置は第１サブキャリアのものと同じであると決定し、ここで、第２サブキャリア間隔は、第１サブキャリアに対応するサブキャリア間隔以外のサブキャリア間隔である。
【００３１】
第６態様によれば、本願の実施形態は信号受信方法を提供し、方法は：端末デバイスにより、第１パラメータに基づいて第１サブキャリアの位置情報を決定するステップであって、第１パラメータは：サブキャリア間隔、ターゲット帯域幅、又はターゲット・リソース・ブロックの量のうちの少なくとも１つを含む、ステップ；及び端末デバイスにより、第１サブキャリアの位置情報に対応する位置でダウンリンク信号を受信するステップを含む。
【００３２】
一例において、第１パラメータがターゲット帯域幅及びサブキャリア間隔である場合に、端末デバイスにより、第１パラメータに基づいて第１サブキャリアの位置情報を決定するステップは：端末デバイスにより、ターゲット帯域幅及びサブキャリア間隔に基づいて第１サブキャリアの位置情報を決定するステップを含む。
【００３３】
別の例において、第１パラメータがターゲット・リソース・ブロックの量である場合に、端末デバイスにより、第１パラメータに基づいて第１サブキャリアの位置情報を決定するステップは：端末デバイスにより、ターゲット・リソース・ブロックの量に基づいて第１サブキャリアの位置情報を決定するステップを含む。
【００３４】
第６態様の実施形態の有益な効果については、第５態様の実施形態のものを参照されたい、ということに特に留意すべきである。詳細はここで再び説明されない。
【００３５】
第７態様によれば、本願の実施形態はネットワーク・デバイスを提供する。ネットワーク・デバイスは、上記の方法設計におけるネットワーク・デバイスの動作を実装する機能を有する。機能は、ハードウェアを用いて実現することもできるし、あるいは対応するソフトウェアを実行するハードウェアによって実現することもできる。ハードウェア又はソフトウェアは、前述の機能に対応する１つ以上のモジュールを含む。
【００３６】
可能な設計において、ネットワーク・デバイスは：第１パラメータに基づいて第１サブキャリアの位置情報を決定し、第１サブキャリアの位置情報に基づいてダウンリンク信号を決定するように構成されたプロセッサであって、第１パラメータは：サブキャリア間隔、ターゲット帯域幅、又はターゲット・リソース・ブロックの量のうちの少なくとも１つを含む、プロセッサ；及びプロセッサにより決定されたダウンリンク信号を端末デバイスへ送信するように構成された送信機を含む。
【００３７】
一例において、プロセッサは、具体的に：第１パラメータがターゲット帯域幅及びサブキャリア間隔である場合に、ターゲット帯域幅及びサブキャリア間隔に基づいて第１サブキャリアの位置情報を決定するように構成されている。
【００３８】
別の例において、プロセッサは、具体的に：第１パラメータがターゲット・リソース・ブロックの量である場合に、ターゲット・リソース・ブロックの量に基づいて第１サブキャリアの位置情報を決定するように構成されている。
【００３９】
別の例において、プロセッサは、第２サブキャリア間隔に対応する第２サブキャリアの位置は第１サブキャリアのものと同じであることを決定するように更に構成され、ここで、第２サブキャリア間隔は、第１サブキャリアに対応するサブキャリア間隔以外のサブキャリア間隔である。
【００４０】
第７態様の実施形態の有益な効果については、第５態様の実施形態のものを参照されたい、ということに特に留意すべきである。詳細はここで再び説明されない。
【００４１】
第８態様によれば、本願の実施形態は端末デバイスを提供する。端末デバイスは、上記の方法設計における端末デバイスの挙動を実装する機能を有する。機能は、ハードウェアを用いて実現することもできるし、あるいは対応するソフトウェアを実行するハードウェアによって実現することもできる。ハードウェア又はソフトウェアは、前述の機能に対応する１つ以上のモジュールを含む。モジュールはソフトウェア及び／又はハードウェアであってもよい。
【００４２】
可能な設計において、端末デバイスは：第１パラメータに基づいて第１サブキャリアの位置情報を決定するように構成されたプロセッサであって、第１パラメータは：サブキャリア間隔、ターゲット帯域幅、又はターゲット・リソース・ブロックの量のうちの少なくとも１つを含む、プロセッサ；及びプロセッサにより決定された第１サブキャリアの位置情報に対応する第１サブキャリアの位置でダウンリンク信号を受信するように構成された受信機を含む。
【００４３】
一例において、プロセッサは、具体的に：第１パラメータがターゲット帯域幅及びサブキャリア間隔である場合に、ターゲット帯域幅及びサブキャリア間隔に基づいて第１サブキャリアの位置情報を決定するように構成されている。
【００４４】
別の例において、プロセッサは、具体的に：第１パラメータがターゲット・リソース・ブロックの量である場合に、ターゲット・リソース・ブロックの量に基づいて第１サブキャリアの位置情報を決定するように構成されている。
【００４５】
第８態様の実施形態の有益な効果については、第５態様の実施形態のものを参照されたい、ということに特に留意すべきである。詳細はここで再び説明されない。
【００４６】
前述の態様の実施形態において、ターゲット帯域幅は：端末デバイスの送信帯域幅、又は端末デバイスによりサポートされる最大送信帯域幅を含む。
【００４７】
前述の態様の実施形態において、ターゲット・リソース・ブロックの量は：端末デバイスによりサポートされる最大送信帯域幅に対応するリソース・ブロックの量、又はネットワーク・デバイスによりサポートされる最大送信帯域幅に対応するリソース・ブロックの量；あるいは端末デバイスの送信帯域幅に対応するリソース・ブロックの量、又はネットワーク・デバイスの送信帯域幅に対応するリソース・ブロックの量を含む。
【００４８】
前述の態様の実施形態において、第１サブキャリアは、ターゲット帯域幅及びサブキャリア間隔に対応するセンター・サブキャリアである。
【００４９】
前述の態様の実施形態において、第１サブキャリアの位置情報は、第１サブキャリアの番号を含む。
【００５０】
前述の態様の実施形態において、第１サブキャリアの番号は、６の倍数であって１２の倍数ではないか、又は１２の倍数である。
【００５１】
第９態様によれば、本願の実施形態は、プロセッサ及びメモリを含むベースバンド・チップを提供する。メモリは、プログラム命令を記憶するように構成され、プロセッサは、命令を実行して、ネットワーク・デバイスが第１態様のステップを実行することを可能にする。情報送信装置は、ネットワーク・デバイスのベースバンド・チップであってもよい。
【００５２】
第１０態様によれば、本願の実施形態は、プロセッサ及びメモリを含むベースバンド・チップを提供する。メモリは、プログラム命令を記憶するように構成され、プロセッサは、命令を実行して、端末デバイスが第２態様のステップを実行することを可能にする。
【００５３】
第１１態様によれば、本願の実施形態は、プロセッサ及びメモリを含むベースバンド・チップを提供する。メモリは、プログラム命令を記憶するように構成され、プロセッサは、命令を実行して、ネットワーク・デバイスが第５態様のステップを実行することを可能にする。情報送信装置は、ネットワーク・デバイスのベースバンド・チップであってもよい。
【００５４】
第１２態様によれば、本願の実施形態は、プロセッサ及びメモリを含むベースバンド・チップを提供する。メモリは、プログラム命令を記憶するように構成され、プロセッサは、命令を実行して、端末デバイスが第６態様のステップを実行することを可能にする。
【００５５】
第１３態様によれば、本願の実施形態は、コンピュータ・プログラム・プロダクトを提供する。コンピュータ・プログラム・プロダクトは、コンピュータ・プログラム・コードを含む。コンピュータ・プログラム・コードがネットワーク・デバイスによって実行される場合に、ネットワーク・デバイスは、第１態様又は第１態様の任意の可能な実装に従って、方法を実行するように動作可能にされる。
【００５６】
第１４態様によれば、本願の実施形態は、コンピュータ・プログラム・プロダクトを提供する。コンピュータ・プログラム・プロダクトは、コンピュータ・プログラム・コードを含む。コンピュータ・プログラム・コードが端末デバイスによって実行される場合に、端末デバイスは、第２態様又は第２態様の任意の可能な実装に従って、方法を実行するように動作可能にされる。
【００５７】
第１５態様によれば、本願の実施形態は、コンピュータ・プログラム・プロダクトを提供する。コンピュータ・プログラム・プロダクトは、コンピュータ・プログラム・コードを含む。コンピュータ・プログラム・コードがネットワーク・デバイスによって実行される場合に、ネットワーク・デバイスは、第５態様又は第５態様の任意の可能な実装に従って、方法を実行するように動作可能にされる。
【００５８】
第１６態様によれば、本願の実施形態は、コンピュータ・プログラム・プロダクトを提供する。コンピュータ・プログラム・プロダクトは、コンピュータ・プログラム・コードを含む。コンピュータ・プログラム・コードが端末デバイスによって実行される場合に、端末デバイスは、第６態様又は第６態様の任意の可能な実装に従って、方法を実行するように動作可能にされる。
【００５９】
第１７態様によれば、本願の実施形態は、コンピュータ読み取り可能な媒体を提供する。コンピュータ読み取り可能な媒体はプログラム・コードを記憶する。プログラム・コードは、第１態様又は第１態様の任意の可能な実装に従って、方法を実行するために使用される命令を含む。
【００６０】
第１８態様によれば、本願の実施形態は、コンピュータ読み取り可能な媒体を提供する。コンピュータ読み取り可能な媒体はプログラム・コードを記憶する。プログラム・コードは、第２態様又は第２態様の任意の可能な実装に従って、方法を実行するために使用される命令を含む。
【００６１】
第１９態様によれば、本願の実施形態は、コンピュータ読み取り可能な媒体を提供する。コンピュータ読み取り可能な媒体はプログラム・コードを記憶する。プログラム・コードは、第５態様又は第５態様の任意の可能な実装に従って、方法を実行するために使用される命令を含む。
【００６２】
第２０態様によれば、本願の実施形態は、コンピュータ読み取り可能な媒体を提供する。コンピュータ読み取り可能な媒体はプログラム・コードを記憶する。プログラム・コードは、第６態様又は第６態様の任意の可能な実装に従って、方法を実行するために使用される命令を含む。
【図面の簡単な説明】
【００６３】
【図１】本願による信号送信方法及び信号受信方法が適用されるシステムのアーキテクチャ図である。
【００６４】
【図２】本願の実施形態による実装を示す。
【図２ａ】本願の実施形態による実装を示す。
【図２ｂ】本願の実施形態による実装を示す。
【図２ｃ】本願の実施形態による実装を示す。
【００６５】
【図３】サブキャリア間隔１５ｋＨｚ、３０ｋＨｚ、及び６０ｋＨｚにそれぞれ対応する第１サブキャリアの番号の概略図である。
【００６６】
【図４】サブキャリア間隔１５ｋＨｚ、３０ｋＨｚ、及び６０ｋＨｚにそれぞれ対応する第１サブキャリアの番号の他の概略図である。
【００６７】
【図５】サブキャリア間隔１５ｋＨｚ、３０ｋＨｚ、及び６０ｋＨｚにそれぞれ対応する第１サブキャリアの番号の他の概略図である。
【００６８】
【図５ａ】サブキャリア間隔１５ｋＨｚ、３０ｋＨｚ、及び６０ｋＨｚにそれぞれ対応する第１サブキャリアの番号の他の概略図である。
【００６９】
【図６】サブキャリア間隔１５ｋＨｚ、３０ｋＨｚ、及び６０ｋＨｚにそれぞれ対応する第１サブキャリアの番号の他の概略図である。
【００７０】
【図７】サブキャリア間隔１５ｋＨｚ、３０ｋＨｚ、及び６０ｋＨｚにそれぞれ対応する第１サブキャリアの番号の他の概略図である。
【００７１】
【図８】本願の実施形態による別の実装を示す。
【図８ａ】本願の実施形態による別の実装を示す。
【図８ｂ】本願の実施形態による別の実装を示す。
【図８ｃ】本願の実施形態による別の実装を示す。
【００７２】
【図９】本願の実施形態による端末デバイスの概略構造図である。
【００７３】
【図１０】本願の実施形態によるネットワーク・デバイスの概略構造図である。
【００７４】
【図１１】本願の実施形態による別のネットワーク・デバイスの概略構造図である。
【００７５】
【図１２】本願の実施形態による別の端末デバイスの概略構造図である。
【００７６】
【図１３】本願の実施形態による別の端末デバイスの概略構造図である。
【発明を実施するための形態】
【００７７】
以下、添付図面を参照して本願の技術的ソリューションを説明する。
【００７８】
本願の実施形態における方法、ケース、及びタイプの区分は、記載の容易性のためだけであり、特別な限定を構成しないものとし、様々な方法、タイプ、及びケースの特徴は、特徴が相互に排他的でない場合には、互いに組み合わせられてもよいことは理解されるべきである。
【００７９】
本願の実施形態における方法は、ニュー・ラジオ（ｎｅｗ  ｒａｄｉｏ，ＮＲ）通信システム、ロング・ターム・エボリューション（ｌｏｎｇ  ｔｅｒｍ  ｅｖｏｌｕｔｉｏｎ，ＬＴＥ）システム、ロング・ターム・エボリューション・アドバンスト（ｌｏｎｇ  ｔｅｒｍ  ｅｖｏｌｕｔｉｏｎ−ａｄｖａｎｃｅｄ，ＬＴＥ−Ａ）システムに適用されてもよく、また、第３世代パートナーシップ・プロジェクト（３ｒｄ  ｇｅｎｅｒａｔｉｏｎ  ｐａｒｔｎｅｒｓｈｉｐ  ｐｒｏｊｅｃｔ，３ｇｐｐ）に関連するセルラー・システム等の同様な無線通信システムに拡張されてもよい。
【００８０】
本発明の実施形態では、アップリンクについては、受信デバイスはネットワーク・デバイスであってもよく、送信デバイスは端末デバイスであってもよく；あるいはダウンリンクについては、受信デバイスは端末デバイスであってもよく、送信デバイスはネットワーク・デバイスであってもよい。説明の便宜上、以下の実施形態では、端末デバイス及びネットワーク・デバイスが説明される。
【００８１】
本願の実施形態では、ネットワーク・デバイスは、端末デバイスに対して無線通信機能を提供するために、無線アクセス・ネットワークに配備された装置である。ネットワーク・デバイスは、マクロ基地局、マイクロ基地局（スモール・セルとも言及される）、中継局、アクセス・ポイント等を含む種々の形態の基地局を含むことができる。異なる無線アクセス技術を使用するシステムにおいて、ネットワーク・アクセス機能を有するデバイスは、異なる名称を有するかもしれない。例えば、ネットワーク・デバイスは、５ＧシステムにおけるｇＮＢ又はＴＲＰのようなネットワーク・デバイス、又は将来発展する公衆陸上移動ネットワーク（ｐｕｂｌｉｃ  ｌａｎｄ  ｍｏｂｉｌｅ  ｎｅｔｗｏｒｋ，ＰＬＭＮ）システムにおけるネットワーク・デバイスであってもよいし、無線ローカル・エリア・ネットワーク（ｗｉｒｅｌｅｓｓ  ｌｏｃａｌ  ａｒｅａ  ｎｅｔｗｏｒｋｓ，ＷＬＡＮ）におけるアクセス・ポイント（ａｃｃｅｓｓ  ｐｏｉｎｔ，ＡＰ）であってもよいし、又はＬＴＥシステム又はＬＴＥ−Ａシステムにおけるエオブルブド・ノードＢ（ｅｖｏｌｖｅｄ  ＮｏｄｅＢ，ｅＮｏｄｅＢ）、又は第３世代（３ｒｄ  ｇｅｎｅｒａｔｉｏｎ，３Ｇ）システムにおけるノードＢ（Ｎｏｄｅ  Ｂ）であってもよい。更に、ネットワーク・デバイスはまた、車載デバイス又はウェアラブル・デバイスであってもよい。
【００８２】
本願の実施形態における端末デバイスは、音声及び／又はデータ接続をユーザーに提供することが可能なデバイスであってもよく、システム内のｇＮＢやＴＲＰ等のネットワーク・デバイスを用いて５Ｇシステムにアクセスするデバイスであってもよいし、将来発展するＰＬＭＮネットワークにおける端末デバイスであってもよいし、ＷＬＡＮ、ＬＴＥシステム、ＬＴＥ−Ａシステム、又は３Ｇシステムにおける端末デバイスであってもよい。端末デバイスはまた、ユーザー装置（ｕｓｅｒ  ｅｑｕｉｐｍｅｎｔ，ＵＥ）、アクセス端末、端末デバイス・ユニット（加入者装置）、端末デバイス・ステーション、移動局、移動局（ｍｏｂｉｌｅ  ｓｔａｔｉｏｎ，ＭＳ）、リモート局、リモート端末、モバイル・デバイス、ユーザー端末、端末（ｔｅｒｍｉｎａｌ）、無線通信デバイス、端末デバイス・エージェント、又は端末デバイス装置と呼ばれてもよい。端末デバイスは、様々なハンドヘルド・デバイス、車載デバイス、ウェアラブル・デバイス、及び無線通信機能を有するコンピューティング・デバイス、又は無線モデムに接続される他の処理デバイスを含んでもよいし、あるいは加入者ユニット、セルラー電話（ｃｅｌｌｕｌａｒ  ｐｈｏｎｅ）、スマートフォン（ｓｍａｒｔｐｈｏｎｅ）、無線データ・カード、パーソナル・デジタル・アシスタント（ｐｅｒｓｏｎａｌ  ｄｉｇｉｔａｌ  ａｓｓｉｓｔａｎｔ，ＰＤＡ）コンピュータ、タブレット・コンピュータ、無線モデム（ｍｏｄｅｍ）、ハンドヘルド・デバイス（ｈａｎｄｓｅｔ）、ラップトップ・コンピュータ（ｌａｐｔｏｐ  ｃｏｍｐｕｔｅｒ）、マシン・タイプ通信（ｍａｃｈｉｎｅ  ｔｙｐｅ  ｃｏｍｍｕｎｉｃａｔｉｏｎ，ＭＴＣ）端末、及び無線ローカル・エリア・ネットワーク（ｗｉｒｅｌｅｓｓ  ｌｏｃａｌ  ａｒｅａ  ｎｅｔｗｏｒｋｓ，ＷＬＡＮ）におけるステーション（ｓｔａｔｉｏｎ，ＳＴ）を含んでもよいし、あるいはセルラー電話、コードレス電話、セッション開始プロトコル（ｓｅｓｓｉｏｎ  ｉｎｉｔｉａｔｉｏｎ  ｐｒｏｔｏｃｏｌ，ＳＩＰ）電話、無線ローカル・ループ（ｗｉｒｅｌｅｓｓ  ｌｏｃａｌ  ｌｏｏｐ，ＷＬＬ）ステーション、等々を含んでもよい。
【００８３】
５Ｇ  ＮＲシステムが一例として使用される。図１は、本願による信号送信方法及び信号受信方法が適用されるシステムのアーキテクチャ図である。図１に示すように、システムは、ネットワーク・デバイスと、少なくとも１つの端末デバイスとを含む。ネットワーク・デバイス及び端末デバイスは、５Ｇ  ＮＲ通信システムにおいて動作し、端末デバイスは、５Ｇ  ＮＲ通信システムを使用してネットワーク・デバイスと通信することができる。
【００８４】
図２に示すように、本願の実施形態は、以下のステップを含む実装を提供する。
【００８５】
ステップ２０１：端末デバイスが、第１パラメータに基づいて第１サブキャリアの位置情報を決定し、ここで、第１パラメータは以下のうちの少なくとも１つを含む：サブキャリア間隔、ターゲット帯域幅、又はターゲット・リソース・ブロックの量。
【００８６】
一例において、第１サブキャリアは直流サブキャリアであってもよい。
【００８７】
例えば、直流サブキャリアは、端末デバイスにより生成されるベースバンド信号においてサブキャリアの周波数が０であるサブキャリアであり、その周波数はベースバンド周波数として理解されるべきである。
【００８８】
一例において、第１サブキャリアはターゲット帯域幅及びサブキャリア間隔に対応するセンター・サブキャリアである。
【００８９】
一例において、第１のサブキャリアの位置情報は、第１サブキャリアの番号を含むことができる。例えば、第１サブキャリアの番号は６の倍数であって１２の倍数ではないか、あるいは１２の倍数である。
【００９０】
例えば、第１サブキャリアの位置情報は、更に、番号以外の他の表現形式を有してもよい。表現形式は、本願で１つずつ列挙されてはおらず、他の表現形式が第１サブキャリアの位置情報を示すことができる限り、全て本発明の保護範囲内に該当する。
【００９１】
一例において、ターゲット帯域幅は、端末デバイスの送信帯域幅であってもよい。例えば、ターゲット帯域幅は、アップリンク情報を送信するために使用される帯域幅、例えば、５ＭＨｚ、１０ＭＨｚ、又は２０ＭＨｚであってもよい。
【００９２】
一例において、ターゲット帯域幅は、端末デバイスのためにネットワーク・デバイスによって設定されてもよいし、端末デバイスによって決定されてもよい。
【００９３】
一例において、ターゲット帯域幅は、端末デバイスによりサポートされ得る最大送信帯域幅であってもよい。
【００９４】
例えば、最大送信帯域幅は、端末デバイスの性能に依存するパラメータであってもよく、異なる端末デバイスは異なる最大送信帯域幅を有する可能性がある。確かに、最大送信帯域幅は事前に決定された固定値であってもよく、端末デバイスによってサポートされ得る最大送信帯域幅は同じである。
【００９５】
端末デバイスによってサポートされる最大送信帯域幅は、端末デバイスの能力に関連する。
【００９６】
例えば、端末デバイスによりサポートされる最大送信帯域幅が２０ＭＨｚである場合、端末デバイスは、２０ＭＨｚ以下の送信帯域幅を用いてアップリンク信号を送信することができる。
【００９７】
一例において、第１パラメータがターゲット帯域幅及びサブキャリア間隔である場合に、端末デバイスは、ターゲット帯域幅及びサブキャリア間隔に基づいて第１サブキャリアの位置情報を決定する。
【００９８】
例えば、端末デバイスは、第１サブキャリアの位置、送信帯域幅、及びサブキャリア間隔の対応に基づいて第１サブキャリアの位置情報を決定し、第１サブキャリアの位置情報は、最大送信帯域幅のサブキャリア内の第１サブキャリアの番号を含むことができる。具体的に、端末デバイスは、第１サブキャリアの位置、送信帯域幅、及びサブキャリア間隔の間の対応表を維持することができる。第１サブキャリアの位置は、第１サブキャリアの番号ｋである。表２に示すように、表２は、第１サブキャリアの番号ｋ、送信帯域幅、及びサブキャリア間隔の間の対応表である。端末デバイスの送信帯域幅が１５ＭＨｚであり、サブキャリア間隔が１５ＫＨｚである場合、端末デバイスは、第１サブキャリアの番号ｋは４７４であること、即ち第１サブキャリアは送信帯域幅内で４７４の番号が付されたサブキャリアであることを直接的に決定する。
表２
【表２】
2020533868.tif 000004
【００９９】
表２に示す実施形態では、送信帯域幅におけるサブキャリア間隔の値に対して、端末デバイスによって決定される第１サブキャリアは送信帯域幅のセンター・サブキャリアであることに留意すべきである。従って、端末デバイスが異なるサブキャリア間隔を有する信号を送信する場合、キャリア周波数又は無線周波数局部発振器の位置は、第１サブキャリアの位置に整合し、比較的望ましい無線周波数パフォーマンスを得ることができる。
【０１００】
表２は本発明のこの実施形態を理解するための唯の一例に過ぎないことに特に留意すべきである。一態様では、表２に含まれる内容は、前述の内容を含むが、これに限定されない。例えば、帯域幅値は、１０ＭＨｚ及び１５ＭＨｚのうちの１つのみを含んでもよく、又は１０ＭＨｚ及び１５ＭＨｚ以外の帯域幅値を含んでもよく、サブキャリア間隔は、他の値であってもよい。別の態様では、表２における第１サブキャリアの番号ｋ、送信帯域幅、及びサブキャリア間隔の間の対応関係は、更に別の表現形式を有してもよく、別の表現形式は、第１サブキャリアの番号ｋ、送信帯域幅、及びサブキャリア間隔の間の対応関係が指定され得る限り、本発明の保護範囲内に該当する。詳細はここでは説明されない。
【０１０１】
別の例に関し、端末デバイスは、送信帯域幅、サブキャリア間隔、及び第１オフセットｋ０の間の対応関係に基づいて、第１オフセットｋ０を先ず決定する。第１オフセットｋ０は、第１サブキャリアの番号ｋと送信帯域幅のセンター・サブキャリアの番号との間の差である。ｋ０の値は、整数であってもよいし、又は小数であってもよい。ｋ０の値は、第１サブキャリアのサブキャリア間隔に関係してもよく、即ち異なるサブキャリア間隔が異なるｋ０に対応していてもよく；又はｋ０の値は、第１サブキャリアのサブキャリア間隔に関係していなくてもよく、即ち異なるサブキャリア間隔が同じｋ０に対応していてもよい。具体的には、端末デバイスは、第１オフセットｋ０と、送信帯域幅と、サブキャリア間隔との間の対応表を維持することができる。表３に示すように、表３は、第１オフセットｋ０、送信帯域幅、及びサブキャリア間隔の間の対応表である。端末デバイスの送信帯域幅が１５ＭＨｚであり、サブキャリア間隔が１５ＫＨｚである場合、端末デバイスによって決定される第１オフセットｋ０は−６である。端末デバイスは、送信帯域幅１５ＭＨｚでは９４８個のサブキャリアを有するので、端末デバイスのセンター・サブキャリアの番号は４７４である。従って、第１サブキャリアの番号ｋは、４７４−（−６）＝４８０であると決定される。
表３
【表３】
2020533868.tif 000005
【０１０２】
この実施形態では、送信帯域幅の任意のサブキャリア間隔について、端末デバイスによって決定される第１サブキャリアの場合と送信帯域幅の中央サブキャリアの番号と間の差は０又は６であることに留意すべきである。このソリューションでは、端末デバイスが異なるサブキャリア間隔を有する信号を送信する場合、キャリア周波数又は無線周波数局部発振器の位置は第１サブキャリアの位置に整合し、比較的望ましい無線周波数パフォーマンスを得ることができる。
【０１０３】
表３は、本発明のこの実施形態を理解するための唯の一例に過ぎないことに特に留意すべきである。一態様では、表３に含まれる内容は、前述の内容を含むが、これに限定されない。例えば、帯域幅値は、１０ＭＨｚ及び１５ＭＨｚのみを含んでもよいし、又は１０ＭＨｚ及び１５ＭＨｚ以外の帯域幅値を含んでもよく、サブキャリア間隔は、他の値であってもよい。別の態様では、表３における第１オフセットｋ０、送信帯域幅、及びサブキャリア間隔の間の対応関係は、更に別の表現形式を有してもよく、別の表現形式は、第１オフセットｋ０、送信帯域幅、及びサブキャリア間隔の間の対応関係が指定され得る限り、本発明の保護範囲内に該当する。詳細はここでは説明されない。
【０１０４】
他の例では、端末デバイスは、第１サブキャリアの位置、最大送信帯域幅、及びサブキャリア間隔の間の対応関係に基づいて第１サブキャリアの位置情報を決定し、第１サブキャリアの位置情報は、最大送信帯域幅のサブキャリア内の第１サブキャリアの番号を含む。具体的には、端末デバイスは、第１サブキャリアの番号、最大送信帯域幅、及びサブキャリア間隔の間の対応表を維持することができる。表４に示すように、表４は、第１サブキャリアの番号ｋ、最大送信帯域幅、及びサブキャリア間隔の間の関係の表である。端末デバイスによりサポートされる最大送信帯域幅は５０ＭＨｚである。サブキャリア間隔が１５ＫＨｚである場合、端末デバイスは、第１サブキャリアの番号ｋが１６２０であることを直接的に決定する。サブキャリア間隔が３５ＫＨｚである場合、端末デバイスは、第１サブキャリアの番号ｋが７９８であることを決定する。サブキャリア間隔が６０ＫＨｚである場合、端末デバイスは、第１サブキャリアの番号ｋが３９０であることを決定する。
表４
【表４】
2020533868.tif 000006
【０１０５】
表４に示す実施形態では、最大送信帯域幅におけるサブキャリア間隔の任意の値について、端末デバイスによって決定される第１サブキャリアは、送信帯域幅のセンター・サブキャリアである。このソリューションでは、端末デバイスが異なるサブキャリア間隔を有する信号を送信する場合、キャリア周波数又は無線周波数局部発振器の位置は第１サブキャリアの位置に整合し、比較的望ましい無線周波数パフォーマンスを得ることができる。
【０１０６】
表４は、本発明のこの実施形態を理解するための唯の一例に過ぎないことに特に留意すべきである。一態様では、表４に含まれる内容は、前述の内容を含むが、これに限定されない。別の態様では、表４における第１サブキャリアの番号ｋと、最大送信帯域幅と、サブキャリア間隔との間の対応関係は、更に別の表現形式を有してもよく、別の表現形式は、第１サブキャリアの番号ｋと、最大送信帯域幅と、サブキャリア間隔との間の対応関係が指定され得る限り、本発明の保護範囲内に該当する。詳細はここでは説明されない。
【０１０７】
別の例では、端末デバイスは、最大送信帯域幅、サブキャリア間隔、及び第１オフセットの間の対応関係に基づいて、第１オフセットを先ず決定する。第１オフセットｋ０は、第１サブキャリアの番号ｋと送信帯域幅のセンター・サブキャリアの番号との間の差である。具体的には、端末デバイスは、第１オフセットｋ０と、最大送信帯域幅と、サブキャリア間隔との間の対応表を維持することができる。表５に示すように、端末デバイスによりサポートされる最大送信帯域幅は５０ＭＨｚである。サブキャリア間隔が１５ＫＨｚである場合、端末デバイスによって決定される第１オフセットｋ０は０である。端末デバイスは送信帯域幅５０ＭＨｚ内に３２４０個のサブキャリアを有するので、端末デバイスのセンター・サブキャリアの番号は１６２０である。従って、第１サブキャリアの番号ｋは、１６２０−０＝１６２０であると決定される。
表５
【表５】
2020533868.tif 000007
【０１０８】
表５の例では、端末デバイスによって決定される第１サブキャリアは、端末デバイスによってサポートされる最大送信帯域幅のセンター・サブキャリアであることに留意すべきである。最大送信帯域幅の任意のサブキャリア間隔に対して、端末デバイスによって決定される第１サブキャリアの番号と送信帯域幅のセンター・サブキャリアの番号との間の差は、０又は６である。このソリューションでは、端末デバイスが異なるサブキャリア間隔を有する信号を送信する場合、キャリア周波数又は無線周波数局部発振器の位置は第１サブキャリアの位置に整合し、比較的望ましい無線周波数パフォーマンスを得ることができる。
【０１０９】
表５は、本発明のこの実施形態を理解するための唯の一例に過ぎないことに特に留意すべきである。一態様では、表５に含まれる内容は、前述の内容を含むが、これに限定されない。別の態様では、表５における第１オフセットｋ０と、最大送信帯域幅と、サブキャリア間隔との間の対応関係は、更に別の表現形式を有してもよく、別の表現形式は、第１オフセットｋ０と、最大送信帯域幅と、サブキャリア間隔との間の対応関係が指示され得る限り、本発明の保護範囲内に該当する。詳細はここでは説明されない。
【０１１０】
一例において、ターゲット・リソース・ブロックの量は、端末デバイスの送信帯域幅に対応するリソース・ブロックの量を含む。リソース・ブロックの量は、端末デバイスの送信帯域幅、及び信号を送信するために端末デバイスにより使用されるサブキャリア間隔に関連することが理解されるべきである。端末デバイスは、送信帯域幅とサブキャリア間隔とに基づいてターゲット・リソース・ブロックの量を決定することができる。
【０１１１】
一例において、ターゲット・リソース・ブロックの量は、端末デバイスによりサポートされる最大送信帯域幅に対応するリソース・ブロックの量を含む。
【０１１２】
別の例において、第１パラメータはターゲット・リソース・ブロックの量であり、端末デバイスはターゲット・リソース・ブロックの量に基づいて第１サブキャリアの位置情報を決定する。
【０１１３】
第１サブキャリアの位置情報は、第１サブキャリアの番号ｋであってもよい。
【０１１４】
第１サブキャリアの量及びターゲット・リソース・ブロックの量は、次式のうちの何れか１つを満たすことができる：
【数１】
2020533868.tif 000008
【０１１５】
数式中のパラメータの値については、以下の具体的な実施形態を参照されたい。
【０１１６】
具体的には、上記の数式の計算は、第１パラメータに直接的に基づいてもよく、計算結果を格納するためにテーブルが維持されてもよい。
【０１１７】
端末デバイスはターゲット・リソース・ブロックの量を事前に決める必要があることに留意すべきである。例えば、端末デバイスは、ターゲット・リソース・ブロックの量と、ターゲット帯域幅と、サブキャリア間隔との間の対応関係に基づいてターゲット・リソース・ブロックの量を決定することができる。表１によれば、ターゲット帯域幅が１５ＭＨｚである場合、サブキャリア間隔１５ｋＨｚに対応するターゲット・リソース・ブロックの量は７９であり、サブキャリア間隔３０ｋＨｚに対応するターゲット・リソース・ブロックの量は３８であり、サブキャリア間隔６０ｋＨｚに対応するターゲット・リソース・ブロックの量は１８であると決定することができる。
【０１１８】
ターゲット・リソース・ブロックの量を決定した後、端末デバイスは、ターゲット・リソース・ブロックの量に基づいて第１サブキャリアの位置情報を決定することができる。
【０１１９】
第１サブキャリアの位置情報は、第１サブキャリアの番号ｋであってもよい。
【０１２０】
例えば、端末デバイスは、式１に従って第１サブキャリアの番号ｋを決定することができる：
Ｋ＝ｆｌｏｏｒ（ＮＲＢ＊Ｍ／２）  （式１）
【０１２１】
ＮＲＢは、端末デバイスにより決定されるターゲット・リソース・ブロックの量であり、Ｍはリソース・ブロック内のサブキャリアの量であり、例えばＭ＝１２である。
【０１２２】
ＮＲＢ＝７９である場合、端末デバイスは、第１サブキャリアの番号ｋは４７４であると判断する。ＮＲＢ＝１８である場合、端末デバイスは、第１サブキャリアの番号ｋは１０８であると判断する。図３は、１５ｋＨｚ、３０ｋＨｚ及び６０ｋＨｚのサブキャリア間隔にそれぞれ対応する第１サブキャリアの番号の概略図である。破線の垂直線は、異なるＲＢの境界地点を示し、実線の垂直線は、第１サブキャリアの番号に対応するキャリアである。図３の例において、任意のサブキャリア間隔に対して、端末デバイスによって決定される第１サブキャリアは、ターゲット帯域幅のセンター・サブキャリアであることが分かる。送信帯域幅内のサブキャリア間隔の任意の値に対して、端末デバイスによって決定される第１サブキャリアは、送信帯域幅のセンター・サブキャリアである。このソリューションでは、端末デバイスが異なるサブキャリア間隔を有する信号を送信する場合、キャリア周波数／無線周波数局部発振器の位置は第１サブキャリアの位置に整合し、比較的望ましい無線周波数パフォーマンスを得ることができる。
【０１２３】
別の例に関し、端末デバイスは更に式２に従って第１サブキャリアの番号ｋを決定することができる：
ｋ＝ｆｌｏｏｒ（ＮＲＢ＊Ｍ／２）−ｋ０  （式２）
【０１２４】
ＮＲＢは、端末デバイスにより決定されるターゲット・リソース・ブロックの量であり、Ｍはリソース・ブロック内のサブキャリアの量であり、例えばＭ＝１２であり、ｋ０は端末デバイスにより事前に決定されるパラメータである。例えば、ｋ０の値は、整数又は小数であってもよい。ｋ０の値は、第１サブキャリアのサブキャリア間隔に関係してもよく、即ち、異なるサブキャリア間隔が異なるｋ０に対応してもよいし；又はｋ０の値は第１のサブキャリアのサブキャリア間隔に関係していなくてもよく、即ち異なるサブキャリア間隔が同じｋ０に対応していてもよい。
【０１２５】
具体的には、端末デバイスは、ｋ０の値を先ず決定し、ｋ０の値に基づいて第１サブキャリアの番号ｋの値を決定する。例えば、端末デバイスはｋ０が０であると判断する。このケースにおいて、ＮＲＢ＝７９の場合、センター・サブキャリアの番号は４７４であり、端末デバイスは、第１サブキャリアの番号ｋは４７４であると判断する。あるいは端末デバイスはｋ０が３であると決定する。このケースにおいて、ＮＲＢ＝３８の場合、センター・サブキャリアの番号は２２８であり、端末デバイスは、第１サブキャリアの番号ｋは、２２８−３＝２２５であると判断する。あるいは端末デバイスはｋ０が１．５であると決定する。このケースにおいて、ＮＲＢ＝１８の場合、センター・サブキャリアの番号は１０８であり、端末デバイスは、第１サブキャリアの番号ｋは、１０８−１．５＝１０６．５であると判断する。ｋ＝１０６．５は、端末デバイスによって決定される第１サブキャリアの位置情報が、２つのサブキャリアの中間位置、即ちサブキャリアのピーク位置ではなく、サブキャリア番号１０６とサブキャリア番号１０７との中間位置であることに、留意すべきである。
【０１２６】
図４は、１５ｋＨｚ、３０ｋＨｚ、６０ｋＨｚのサブキャリア間隔にそれぞれ対応する第１サブキャリアの番号の概略図である。破線の垂直線は、異なるＲＢの境界地点を示し、実線の垂直線は、第１サブキャリアの番号に対応するキャリアである。理解され得るように、サブキャリア間隔１５ｋＨｚ及び３０ｋＨｚについては、端末デバイスによって決定される第１サブキャリアの位置はサブキャリアのピーク位置であるが、サブキャリア間隔６０ｋＨｚについては、端末デバイスによって決定される第１サブキャリアの位置はサブキャリアのピーク位置ではない。この実施形態では、端末デバイスによってサポートされる最小サブキャリア間隔は１５ｋＨｚであり、端末デバイスによってサポートされる最大サブキャリア間隔は６０ｋＨｚであることが理解され得る。端末デバイスは、最小サブキャリア間隔に対応する第１サブキャリアは、センター・サブキャリアであると判断する。別のサブキャリア間隔については、端末デバイスによって決定される第１サブキャリアの位置は、最小サブキャリア間隔に対応する第１サブキャリアの位置と同じである。第１のサブキャリアの位置は、サブキャリアのピークを含み、また、２つのサブキャリアの中間位置も含み、確かに、別の可能な位置であってもよいことに特に留意すべきである。
【０１２７】
表４に示す例では、送信帯域幅におけるサブキャリアの間隔の値に対して、端末デバイスによって決定される第１サブキャリアの位置は送信帯域幅のセンター・位置であることに留意すべきである。サブキャリア間隔に関し、第１サブキャリアの位置がサブキャリアのピーク位置ではないが、端末デバイスが異なるサブキャリア間隔を有する信号を送信する場合には、キャリア周波数の位置又は高周波局所発振器は第１サブキャリアの位置に整合し、比較的望ましい高周波パフォーマンスを得ることができる。
【０１２８】
別の例に関し、端末デバイスはｋ０が−６であると判断する。このケースにおいて、ＮＲＢ＝７９の場合、センター・サブキャリアの番号は４７４であり、端末デバイスは、第１サブキャリアの番号ｋは４７４−（−６）＝４８０であると判断する。あるいは端末デバイスはｋ０が０であると判断する。このケースにおいて、ＮＲＢ＝３８の場合、センター・サブキャリアの番号は２２８であり、端末デバイスは、第１サブキャリアの番号ｋは２２８であると判断する。あるいはＮＲＢ＝１８の場合、センター・サブキャリアの番号は１０８であり、端末デバイスは、第１サブキャリアの番号ｋは１０８であると判断する。図５は、サブキャリア間隔１５ｋＨｚ、３０ｋＨｚ、及び６０ｋＨｚにそれぞれ対応する第１サブキャリアの番号の概略図である。破線の垂直線は、異なるＲＢの境界地点を示し、実線の垂直線は、第１サブキャリアの番号に対応するキャリアである。図５から理解できるように、任意のサブキャリア間隔について、端末デバイスによって決定される第１サブキャリアは、リソース・ブロックにおいて第１にランキングされたサブキャリアであり、あるいはリソース・ブロックにおいて番号０のサブキャリアとして理解され得る。リソース・ブロックが１２個のサブキャリアを有し、ターゲット・リソース・ブロック内のサブキャリアが０から増加して付番されることを考慮すると、本願で決定される第１サブキャリアの番号は１２の倍数である。サブキャリアが１から増加して付番される場合、本願で決定される第１サブキャリアの番号は、１２×ｍ＋１として指定されることが可能であり、ここでｍは整数である。図５に示す例では、サブキャリア間隔に関し、端末デバイスによって決定される第１サブキャリアの位置は、送信帯域幅のセンター・位置ではないが、送信帯域幅におけるサブキャリア間隔の任意の値に関し、端末デバイスによって決定される第１サブキャリアの位置は、サブキャリアのピーク位置である。更に、端末デバイスが異なるサブキャリア間隔を有する信号を送信する場合、キャリア周波数又は無線周波数局部発振器の位置は第１サブキャリアの位置に整合し、それによって端末デバイスによる信号生成の複雑さを低減することができる。
【０１２９】
上記の方法において、ｋ０の値はプロトコルで規定されてもよいし、あるいはネットワーク・デバイス及び端末デバイスにより事前に維持されている、ｋ０と、ターゲット帯域幅と、サブキャリア間隔との間の対応関係に基づいて取得されてもよく、例えばｋ０と、ターゲット帯域幅と、サブキャリア間隔との間の対応表から取得されてもよいし、あるいはｋ０とターゲット・リソース・ブロックの量との間の対応関係に基づいて取得されてもよく、例えばｋ０とターゲット・リソース・ブロックの量と間の対応表に基づいて取得されてもよいことに特に留意すべきである。
【０１３０】
別の例に関し、帯域幅は２０ＭＨｚ、サブキャリア間隔１５ｋＨｚに対応するターゲット・リソース・ブロックの量は１０６、サブキャリア間隔３０ｋＨｚに対応するターゲット・リソース・ブロックの量は５２、及びサブキャリア間隔６０ｋＨｚに対応するターゲット・リソース・ブロックの量は２４である。式１によれば、サブキャリア間隔１５ｋＨｚに対応するｋは６３６であり、サブキャリア間隔３０ｋＨｚに対応するｋは３１２であり、サブキャリア間隔６０ｋＨｚに対応するｋは１４４である。サブキャリア間隔１５ｋＨｚ、３０ｋＨｚ及び６０ｋＨｚにそれぞれ対応する第１サブキャリアの番号の概略図が図６に示されている。
【０１３１】
帯域幅が２０ＭＨｚである例では、第１サブキャリアの番号ｋが式２に従って決定される場合、同じ第１サブキャリアもまた決定され得ることに留意すべきである。このケースでは、全てのサブキャリア間隔について、ｋ０＝０である。
【０１３２】
別の例に関し、ターゲット帯域幅が、端末デバイスによりサポートされ得る最大帯域幅である場合、端末デバイスは、ターゲット・リソース・ブロックの量は２７０であると先ず判断することができ、端末デバイスは、サブキャリア間隔１５ｋＨｚはｋ＝１６２０に対応することを式１に従って判断することができる。あるいは、端末デバイスは、ターゲット・リソース・ブロックの量は１３３であると判断し、端末デバイスは、サブキャリア間隔３０ｋＨｚはｋ＝７９８に対応することを式１に従って判断することができる。あるいは、端末デバイスは、ターゲット・リソース・ブロックの量は６５であると判断し、端末デバイスは、サブキャリア間隔６０ｋＨｚはｋ＝３９０に対応することを式１に従って判断することができる。図５ａは、サブキャリア間隔１５ｋＨｚ、３０ｋＨｚ、及び６０ｋＨｚのそれぞれに対応する第１サブキャリアの番号の概略図である。破線の垂直線は、異なるＲＢの境界地点を示し、実線の垂直線は、第１サブキャリアの番号に対応するキャリアである。
【０１３３】
別の例に関し、ターゲット帯域幅が端末デバイスによりサポートされ得る最大帯域幅の場合、サブキャリア間隔１５ｋＨｚに対応するターゲット・リソース・ブロックの量は２７０であり、サブキャリア間隔３０ｋＨｚに対応するターゲット・リソース・ブロックの量は１３３であり、サブキャリア間隔６０ｋＨｚに対応するターゲット・リソース・ブロックの量は６５である。第１サブキャリアの番号ｋが式２に従って決定される場合、サブキャリア間隔１５ｋＨｚはｋ０＝０に対応し、サブキャリア間隔３０ｋＨｚはｋ０＝０に対応し、サブキャリア間隔６０ｋＨｚはｋ０＝２に対応する。サブキャリア間隔１５ｋＨｚ、３０ｋＨｚ及び６０ｋＨｚにそれぞれ対応する第１サブキャリアの番号が図７に示されている。
【０１３４】
図３ないし図７に示す実施形態では、Ｘ番目のＲＢはＸに付番されたＲＢを示し、例えば９番目のＲＢは９に付番されたＲＢを示す。
【０１３５】
別の例では、端末デバイス及びネットワーク・デバイスは、異なるサブキャリア間隔に対応するＰＲＢグリッド構造を事前に決定する。従って、上記の方法に基づいて、最小サブキャリア間隔に対応する第１サブキャリアの位置を決定した後、端末デバイスは、第２サブキャリア間隔に対応する第２サブキャリアの位置は、第１サブキャリアのものと同じであることを判断し、ここで、第２サブキャリア間隔は、第１サブキャリアに対応するサブキャリア間隔以外のサブキャリア間隔である。位置は、同じ物理的位置として理解されるべきであり、最初のサブキャリアの番号は異なってもよい。このソリューションでは、端末デバイスが異なるサブキャリア間隔を有する信号を送信する場合、キャリア周波数又は無線周波数局部発振器の位置は第１サブキャリアの位置と整合し、比較的望ましい無線周波数パフォーマンスを得ることができる。
【０１３６】
本方法の別の例では、所与の帯域幅に対して、第１サブキャリアの位置は、サポートされる最大サブキャリア間隔に基づいて決定される。所与の帯域幅におけるサポートされる最大サブキャリア間隔は、通常、ネットワーク・デバイスの設定に依存することが理解されるべきである。ネットワーク・デバイスは、所与の帯域幅について１つ以上のサブキャリア間隔を設定する。従って、ネットワーク・デバイスが唯１つのサブキャリア間隔のみを設定する場合、所与の帯域幅でサポートされる最大サブキャリア間隔はそのサブキャリア間隔であり、ネットワーク・デバイスが複数のサブキャリア間隔を設定する場合、所与の帯域幅でサポートされる最大サブキャリア間隔は、複数のサブキャリア間隔のうちの最大サブキャリア間隔である。一例において、ネットワーク・デバイスが、所与の帯域幅に対してサブキャリア間隔１５ｋＨｚのみを設定する場合、所与の帯域幅でサポートされる最大サブキャリア間隔は１５ｋＨｚであり、ネットワーク・デバイスが所与の帯域幅に対してサブキャリア間隔１５ｋＨｚ及び３０ｋＨｚを設定する場合、所与の帯域幅でサポートされる最大サブキャリア間隔は３０ｋＨｚである。
【０１３７】
例えば、所与の帯域幅に関し、その帯域幅で端末デバイスによりサポートされる最小サブキャリア間隔ｕｍｉｎ（例えば、１５ｋＨｚ）、及びその帯域幅で端末デバイスによりサポートされる最大サブキャリア間隔ｕｍａｘ（例えば、６０ｋＨｚ）は、以下の表６に示される。
表６
【表６】
2020533868.tif 000009
【０１３８】
表６において、ｕはサブキャリア間隔識別子を示す。ｕｍｉｎに対応するサブキャリア間隔に関し、第１サブキャリアの番号は、式３に従って取得され、詳細は次の通りである：
【数２】
2020533868.tif 000010
【０１３９】
Ｎは帯域幅内でｕｍｉｎに対応するサブキャリア間隔に対応するＲＢの量を示し、ｆｌｏｏｒ（ｘ）はｘを切り下げて丸めることを示す。
【０１４０】
別の例に関し、第１サブキャリアの番号は、式４に従って取得されてもよく、詳細は次の通りである：
【数３】
2020533868.tif 000011
【０１４１】
Ｎは帯域幅内でｕｍｉｎに対応するサブキャリア間隔に対応するＲＢの量を示し、ｆｌｏｏｒ（ｘ）はｘを切り下げて丸めることを示す。
【０１４２】
式（４）は以下の式（５）として更に示されることが可能である：
【数４】
2020533868.tif 000012
【０１４３】
Ｃｅｉｌ（ｘ）はｘを切り上げて丸めることを示す。
【０１４４】
式（３）に従って算出される第１サブキャリアの番号は、帯域幅のセンター・サブキャリアの番号より小さく、式（４）により算出される第１サブキャリアの番号は、帯域幅のセンター・サブキャリアの番号より大きいことに留意すべきである。式（３）及び（４）に従って計算される第１サブキャリアは帯域幅のセンター・サブキャリアに対して対称であることを考慮して、複数の候補サブキャリアが第１サブキャリアとして使用されてもよい。従って、端末デバイスは、複数の候補の第１サブキャリアの中から１つを選択することができる。
【０１４５】
２＾（ｕｍａｘ−ｕｍｉｎ）の値は１，２，４，８，１６，又は３２であることを考慮すると、前述の式は式６として簡易にまとめることができる：
【数５】
2020533868.tif 000013
【０１４６】
数式において、ｎ＝１，２，４，８，１６又は３２であり、ｓ＝０又はｎである。Ｎは帯域幅内でｕｍｉｎに対応するサブキャリア間隔に対応するＲＢの量を示し、ｆｌｏｏｒ（ｘ）はｘを切り下げて丸めることを示す。
【０１４７】
具体例において、全てのサブキャリア間隔に関し、端末デバイスによって決定される第１サブキャリアの位置は、サブキャリアのピーク位置である。更に、異なるサブキャリア間隔の第１サブキャリアの位置は整合させられ、その位置は帯域幅の中心付近である。このソリューションは、端末デバイスによる信号送信のパフォーマンスと複雑さとのバランスを取ることができる。
【０１４８】
他の例では、ターゲット・リソース・ブロックの所与の量に対して、端末デバイスは、第１サブキャリアの番号とターゲット・リソース・ブロックの量との対応関係に基づいて、第１サブキャリアの番号を決定することができる。第１サブキャリアの番号とターゲット・リソース・ブロックの量との間の対応関係は、表７に示されるものであってもよく、又は表８に示されるものであってもよい。
表７
【表７】
2020533868.tif 000014
表８
【表８】
2020533868.tif 000015
【０１４９】
具体例では、全てのサブキャリア間隔について、端末デバイスによって決定される第１サブキャリアの位置は、サブキャリアのピーク位置である。更に、異なるサブキャリア間隔の第１サブキャリアの位置は整列させられ、その位置は帯域幅の中心付近である。このソリューションは、端末デバイスによる信号送信のパフォーマンスと複雑さとのバランスを取ることができる。
【０１５０】
表７又は表８は、本発明のこの実施形態を理解するために使用される一例に過ぎないことには特に留意すべきである。一態様では、表７又は表８に含まれる内容は、前述の内容を含むが、これに限定されない。別の態様では、表７又は表８における第１サブキャリアの番号とターゲット・リソース・ブロックの量との間の対応関係は、更に別の表現形式を有してもよく、別の表現形式は、第１サブキャリアの番号とターゲット・リソース・ブロックの量との間の対応関係が指示され得る限り、本発明の保護範囲内に該当する。詳細はここでは説明されない。
【０１５１】
端末デバイスがアップリンク信号を送信するキャリア周波数の位置は、端末デバイスにより決定される第１サブキャリアの位置と同じであってもよいことに留意すべきである。従って、端末デバイスが第１サブキャリアの位置情報を決定することは、端末デバイスが、アップリンク信号が送信されるキャリア周波数の位置を決定することとして理解することができる。端末デバイスがアップリンク信号を送信する無線周波数局部発振器の位置は、端末デバイスによって決定される第１サブキャリアの位置と同じであってもよい。従って、端末デバイスが第１サブキャリアの位置情報を決定することは、端末デバイスが、アップリンク信号が送信される無線周波数局部発振器の位置を決定することとして理解することができる。端末デバイスがアップリンク信号を送信するチャネル・ラスタ位置はまた、端末デバイスによって決定される第１サブキャリアの位置と同じであってもよい。従って、端末デバイスが第１サブキャリアの位置情報を決定することは、端末デバイスが、アップリンク信号が送信されるチャネル・ラスタ位置を決定することとして理解することができる。
【０１５２】
ステップ２０２：端末デバイスが、第１サブキャリアの位置情報に基づいてアップリンク信号を決定する。
【０１５３】
ステップ２０３：端末デバイスが、アップリンク信号をネットワーク・デバイスへ送信する。
【０１５４】
ステップ２０４：ネットワーク・デバイスが、第１パラメータに基づいて第１サブキャリアの位置情報を決定し、ここで、第１パラメータは以下のうちの少なくとも１つを含む：サブキャリアの間隔、ターゲット帯域幅、又はターゲット・リソース・ブロックの量。
【０１５５】
ステップ２０４及びステップ２０１ないし２０３のシーケンスは限定されないことに留意すべきである。例えば、図２ｃに示されるように、ステップ２０４はステップ２０１の前に実行されてもよい。あるいは、図２ｂに示すように、ステップ２０４はステップ２０１の後であってステップ２０２の前に実行されてもよい。あるいは、図２ａに示されるように、ステップ２０４はステップ２０３の前に実行されてもよい。これは本発明のこの実施形態で具体的に限定されない。
【０１５６】
具体的に、第１サブキャリア、第１サブキャリアの位置情報、第１パラメータ、サブキャリア間隔、ターゲット帯域幅、又はターゲット・リソース・ブロックの詳細な特徴については、ステップ２０１における詳細な特徴を参照されたい。詳細はここで１つずつ再び説明されない。
【０１５７】
一例において、第１サブキャリアは直流サブキャリアであってもよい。例えば、直流サブキャリアは、端末デバイスによって生成されるベースバンド信号において周波数が０であるサブキャリアであり、その周波数はベースバンド周波数として理解されるべきである。
【０１５８】
一例において、ターゲット帯域幅は、端末デバイスの送信帯域幅であるとすることができる。例えば、ターゲット帯域幅は、アップリンク情報を送信するために使用される帯域幅、例えば５ＭＨｚ、１０ＭＨｚ、又は２０ＭＨｚであってもよい。
【０１５９】
一例において、ターゲット帯域幅は、端末デバイスによりサポートされることが可能な最大の送信帯域幅であってもよい。
【０１６０】
一例において、ターゲット・リソース・ブロックの量は、ネットワーク・デバイスによってサポートされる最大送信帯域幅に対応するリソース・ブロックの量；又はネットワーク・デバイスの送信帯域幅に対応するリソース・ブロックの量を含む。
【０１６１】
一例において、第１パラメータがターゲット帯域幅及びサブキャリア間隔である場合、ネットワーク・デバイスは、ターゲット帯域幅及びサブキャリア間隔に基づいて第１サブキャリアの位置情報を決定する。具体的な決定プロセスについては、ステップ２０１においてターゲット帯域幅及びサブキャリア間隔に基づいて第１サブキャリアの位置情報を端末デバイスによって決定するプロセスを参照されたい。詳細はここで再び説明されない。
【０１６２】
別の例において、第１パラメータがターゲット・リソース・ブロックの量である場合、ネットワーク・デバイスは、ターゲット・リソース・ブロックの量に基づいて第１サブキャリアの位置情報を決定する。具体的な決定プロセスについては、ステップ２０１においてターゲット・リソース・ブロックの量に基づいて第１サブキャリアの位置情報を端末デバイスによって決定するプロセスを参照されたい。詳細はここで再び説明されない。
【０１６３】
一例において、第１サブキャリアはターゲット帯域幅及びサブキャリア間隔に対応するセンター・サブキャリアである。
【０１６４】
一例において、第１サブキャリアの位置情報は、第１サブキャリアの番号を含む。例えば、第１サブキャリアの番号は６の倍数であって１２の倍数ではないか、又は１２の倍数である。例えば、第１サブキャリアの位置情報は、更に、番号以外の他の表現形式を有してもよい。他の表現形式は、本願で１つずつ列挙されてはおらず、他の表現形式が第１サブキャリアの位置情報を指示できる限り、全て本発明の保護範囲内に該当する。
【０１６５】
ステップ２０５：ネットワーク・デバイスが、第１サブキャリアの位置情報に対応する位置でアップリンク信号を受信する。
【０１６６】
このソリューションは、端末デバイスにより送信されたアップリンク信号をネットワーク・デバイスにより受信する受信パフォーマンスを保証し、直流サブキャリアを指定するために端末デバイスによりネットワーク・デバイスへ送信される追加的なシグナリング・オーバーヘッドを回避することができる。
【０１６７】
図８は、本願の実施形態による別の実装を示す。この実施形態における幾つかの説明は前述の実施形態におけるものと同じであるか又は類似しており、以下、幾つかの相違を主に説明する。この実施形態は、以下のステップを含む。
【０１６８】
ステップ３０１：ネットワーク・デバイスが、第１パラメータに基づいて第１サブキャリアの位置情報を決定し、ここで、第１パラメータは以下のうちの少なくとも1つを含む：サブキャリア間隔、ターゲット帯域幅、又はターゲット・リソース・ブロックの量。
【０１６９】
具体的には、第１サブキャリア、第１サブキャリアの位置情報、第１パラメータ、サブキャリア間隔、ターゲット帯域幅、又はターゲット・リソース・ブロックの詳細な特徴については、ステップ２０１における詳細な特徴を参照されたい。詳細はここで１つひとつ再び説明されない。
【０１７０】
具体的に、ターゲット帯域幅及びサブキャリア間隔に基づいて第１サブキャリアの位置情報をネットワーク・デバイスにより取得することについては、ステップ２０１における取得プロセスを参照されたい。このソリューションでは、ネットワーク・デバイスが異なるサブキャリア間隔を有する信号を送信する場合、キャリア周波数又は無線周波数局部発振器の位置は第１サブキャリアの位置と整合し、より良好な無線周波数パフォーマンスを得ることができる。
【０１７１】
具体的には、ターゲット・リソース・ブロックの量に基づいて第１サブキャリアの位置情報をネットワーク・デバイスにより取得することについては、ステップ２０１における取得プロセスを参照されたい。このソリューションでは、送信帯域幅のサブキャリア間隔の任意の値に対して、ネットワーク・デバイスによって決定される第１サブキャリアは送信帯域幅のセンター・サブキャリアであり、そのため、ネットワーク・デバイスが異なるサブキャリア間隔を有する信号を送信する場合、キャリア周波数又は無線周波数局部発振器の位置は第１サブキャリアの位置と整合し、比較的望ましい無線周波数パフォーマンスを得ることができる。
【０１７２】
具体的には、所与の帯域幅に関し、第１サブキャリアの位置は、サポートされる最大サブキャリア間隔に基づいて決定され、具体的な決定プロセスについてはステップ２０１を参照されたい。
【０１７３】
ステップ３０２：ネットワーク・デバイスが、第１サブキャリアの位置情報に基づいてダウンリンク信号を決定する。
【０１７４】
ステップ３０３：ネットワーク・デバイスが、ダウンリンク信号を端末デバイスへ送信する。
【０１７５】
ステップ３０４：端末デバイスが、第１パラメータに基づいて第１サブキャリアの位置情報を決定し、ここで、第１パラメータは以下のうちの少なくとも１つを含む：サブキャリアの間隔、ターゲット帯域幅、又はターゲット・リソース・ブロックの量。
【０１７６】
ステップ３０４及びステップ３０１ないし３０３のシーケンスは限定されないことに留意すべきである。例えば、図８ｃに示されるように、ステップ３０４はステップ３０１の前に実行されてもよい。あるいは、図８ｂに示すように、ステップ３０４はステップ３０１の後であってステップ３０２の前に実行されてもよい。あるいは、図８ａに示されるように、ステップ３０４はステップ３０３の前に実行されてもよい。これは、本発明のこの実施形態で具体的に限定されない。
【０１７７】
ステップ３０５：端末デバイスが、第１サブキャリアの位置情報に対応する位置でダウンリンク信号を受信する。
【０１７８】
ネットワーク・デバイスがダウンリンク信号を送信するキャリア周波数位置は、ネットワーク・デバイスにより決定される第１サブキャリアの位置と同じであってもよいことに留意すべきである。従って、ネットワーク・デバイスが第１サブキャリアの位置情報を決定することは、ネットワーク・デバイスが、ダウンリンク信号が送信されるキャリア周波数の位置を決定することとして理解することができる。ネットワーク・デバイスがダウンリンク信号を送信する無線周波数局部発振器の位置はまた、ネットワーク・デバイスによって決定される第１サブキャリアの位置と同じであってもよい。従って、ネットワーク・デバイスが第１サブキャリアの位置情報を決定することは、ネットワーク・デバイスが、ダウンリンク信号が送信される無線周波数局部発振器の位置を決定することとして理解することができる。ネットワーク・デバイスがダウンリンク信号を送信するチャネル・ラスタ位置はまた、ネットワーク・デバイスによって決定される第１サブキャリアの位置と同じであってもよい。従って、ネットワーク・デバイスが第１サブキャリアの位置情報を決定することは、ネットワーク・デバイスが、ダウンリンク信号が送信されるチャネル・ラスタ位置を決定することとして理解することができる。
【０１７９】
このソリューションは、ネットワーク・デバイスにより送信されるダウンリンク信号を端末デバイスにより受信することの受信パフォーマンスを保証し、直流サブキャリアを指定するためにネットワーク・デバイスにより端末デバイスへ送信される追加的なシグナリング・オーバーヘッドを回避することができる。
【０１８０】
図９に示すように、本願の実施形態は、更に、図２に示す実施形態における端末デバイスの動作及び機能を実行するように構成された端末デバイスを提供する。端末デバイスは、プロセッサ９０１及び送信機９０２を含む。
【０１８１】
プロセッサ９０１は、第１パラメータに基づいて第１サブキャリアの位置情報を決定し、第１サブキャリアの位置情報に基づいてアップリンク信号を決定するように構成され、ここで、第１パラメータは以下のうちの少なくとも１つを含む：サブキャリア間隔、ターゲット帯域幅、又はターゲット・リソース・ブロックの量。
【０１８２】
送信機９０２は、プロセッサ９０１によって決定されたアップリンク信号をネットワーク・デバイスへ送信するように構成される。
【０１８３】
具体的に、第１サブキャリア、第１サブキャリアの位置情報、第１パラメータ、サブキャリア間隔、ターゲット帯域幅、又はたーゲット・リソース・ブロックの詳細な特徴については、ステップ２０１における詳細な特徴を参照されたい。詳細はここで１つひとつ再び説明されない。
【０１８４】
具体的には、プロセッサ９０１は、ターゲット帯域幅及びサブキャリア間隔に基づいて第１サブキャリアの位置情報を取得するように具体的に構成される。具体的な取得プロセスについては、ステップ２０１で説明した取得例を参照されたい。
【０１８５】
具体的には、プロセッサ９０１は、ターゲット・リソース・ブロックの量に基づいて、第１サブキャリアの位置情報を取得するように具体的に構成される。具体的な取得プロセスについては、ステップ２０１で説明した取得例を参照されたい。
【０１８６】
具体的には、プロセッサ９０１は、所与の帯域幅に対してサポートされる最大サブキャリア間隔に基づいて、第１サブキャリアの位置を決定するように具体的に構成される。具体的な取得プロセスについては、ステップ２０１で説明した取得例を参照されたい。
【０１８７】
一例において、プロセッサは、第２サブキャリア間隔に対応する第２サブキャリアの位置が第１サブキャリアのものと同じであることを決定するように更に構成され、ここで、第２サブキャリア間隔は、第１サブキャリアに対応するサブキャリア間隔以外のサブキャリア間隔である。
【０１８８】
この実施形態では、プロセッサは更に処理モジュールであってもよく、送信機は更に送信機であってもよいことに特に留意すべきである。
【０１８９】
この実施形態の有益な効果については、対応する方法の実施形態のものを参照されたい。詳細はここで再び説明されない。
【０１９０】
図１０に示すように、本願の実施形態は、図２に示すネットワーク・デバイスの動作及び機能を実行するように構成されたネットワーク・デバイスを更に提供する。ネットワーク・デバイスは、プロセッサ１００１及び受信機１００２を含む。
【０１９１】
プロセッサ１００１は、第１パラメータに基づいて第１サブキャリアの位置情報を決定するように構成され、ここで、第１パラメータは以下のうちの少なくとも１つを含む：サブキャリア間隔、ターゲット帯域幅、又はターゲット・リソース・ブロックの量。
【０１９２】
受信機１００２は、プロセッサによって決定された第１サブキャリアの位置情報に対応する位置でアップリンク信号を受信するように構成される。
【０１９３】
具体的に、第１サブキャリア、第１サブキャリアの位置情報、第１パラメータ、サブキャリア間隔、ターゲット帯域幅、又はターゲット・リソース・ブロックの詳細な特徴については、ステップ２０１における詳細な特徴を参照されたい。詳細はここで１つひとつ再び説明されない。
【０１９４】
具体的には、プロセッサ１００１は、ターゲット帯域幅及びサブキャリア間隔に基づいて、第１サブキャリアの位置情報を取得するように具体的に構成される。具体的な取得プロセスについては、ステップ２０１において説明された取得例を参照されたい。
【０１９５】
具体的には、プロセッサ１００１は、ターゲット・リソース・ブロックの量に基づいて、第１サブキャリアの位置情報を取得するように具体的に構成される。具体的な取得プロセスについては、ステップ２０１において説明された取得例を参照されたい。
【０１９６】
具体的には、プロセッサ１００１は、所与の帯域幅についてサポートされている最大サブキャリア間隔に基づいて、第１サブキャリアの位置を決定するように具体的に構成される。具体的な決定プロセスについては、ステップ２０１において説明された例を参照されたい。
【０１９７】
この実施形態では、プロセッサは更に処理モジュールであってもよく、受信機は更に受信モジュールであってもよいことに特に留意すべきである。
【０１９８】
この実施形態の有益な効果については、対応する方法の実施形態のものを参照されたい。詳細はここで再び説明されない。
【０１９９】
図１１に示すように、本願の実施形態は更に図８に示すネットワーク・デバイスの動作及び機能を実行するように構成されたネットワーク・デバイスを提供する。ネットワーク・デバイスは、プロセッサ１１０１及び送信機１１０２を含む。
【０２００】
プロセッサ１１０１は、第１パラメータに基づいて第１サブキャリアの位置情報を決定し、第１サブキャリアの位置情報に基づいてダウンリンク信号を決定するように構成され、ここで、第１パラメータは以下のうちの少なくとも１つを含む：サブキャリア間隔、ターゲット帯域幅、又はターゲット・リソース・ブロックの量。
【０２０１】
送信機１１０２は、プロセッサによって決定されたダウンリンク信号を端末デバイスへ送信するように構成される。
【０２０２】
具体的に、第１サブキャリア、第１サブキャリアの位置情報、第１パラメータ、サブキャリア間隔、ターゲット帯域幅、ターゲット・リソース・ブロックの量の詳細な特徴については、ステップ２０１における詳細な特徴を参照されたい。詳細はここで１つひとつ再び説明されない。
【０２０３】
具体的には、プロセッサ１１０１は、ターゲット帯域幅及びサブキャリア間隔に基づいて第１サブキャリアの位置情報を取得するように具体的に構成される。具体的な取得プロセスについては、ステップ２０１において説明された取得例を参照されたい。
【０２０４】
具体的には、プロセッサ１１０１は、ターゲット・リソース・ブロックの量に基づいて、第１サブキャリアの位置情報を取得するように具体的に構成される。具体的な取得プロセスについては、ステップ２０１において説明された取得例を参照されたい。
【０２０５】
具体的には、プロセッサ１１０１は、所与の帯域幅についてサポートされる最大サブキャリア間隔に基づいて、第１サブキャリアの位置を決定するように具体的に構成される。具体的な決定プロセスについては、ステップ２０１において説明された例を参照されたい。
【０２０６】
この実施形態では、プロセッサは更に処理モジュールであってもよく、送信機は更に送信機であってもよいことに特に留意すべきである。
【０２０７】
この実施形態の有益な効果については、対応する方法の実施形態のものを参照されたい。詳細はここで再び説明されない。
【０２０８】
図１２に示すように、本願の実施形態は更に図８に示す端末デバイスの動作及び機能を実行するように構成された端末デバイスを提供する。端末デバイスはプロセッサ１２０１及び受信機１２０２を含む。
【０２０９】
プロセッサ１２０１は、第１パラメータに基づいて第１サブキャリアの位置情報を決定するように構成され、ここで、第１パラメータは以下のうちの少なくとも１つを含む：サブキャリア間隔、ターゲット帯域幅、又はターゲット・リソース・ブロックの量。
【０２１０】
受信機１２０２は、プロセッサ１２０１によって決定された第１サブキャリアの位置情報に対応する第１サブキャリアの位置でダウンリンク信号を受信するように構成される。
【０２１１】
具体的に、第１サブキャリア、第１サブキャリアの位置情報、第１パラメータ、サブキャリア間隔、ターゲット帯域幅、又はターゲット・リソース・ブロックの詳細な特徴については、ステップ２０１における詳細な特徴を参照されたい。詳細はここで１つひとつ再び説明されない。
【０２１２】
具体的には、プロセッサ１２０１は、ターゲット帯域幅及びサブキャリア間隔に基づいて第１サブキャリアの位置情報を取得するように具体的に構成される。具体的な取得プロセスについては、ステップ２０１において説明された取得例を参照されたい。
【０２１３】
具体的には、プロセッサ１２０１は、ターゲット・リソース・ブロックの量に基づいて、第１サブキャリアの位置情報を取得するように具体的に構成される。具体的な取得プロセスについては、ステップ２０１において説明された取得例を参照されたい。
【０２１４】
具体的には、プロセッサ１２０１は、所与の帯域幅についてサポートされている最大サブキャリア間隔に基づいて、第１サブキャリアの位置を決定するように具体的に構成される。具体的な決定プロセスについては、ステップ２０１において説明された例を参照されたい。
【０２１５】
この実施形態では、プロセッサは更に処理モジュールであってもよく、受信機は更に受信モジュールであってもよいことに特に留意すべきである。
【０２１６】
この実施形態の有益な効果については、対応する方法の実施形態のものを参照されたい。詳細はここで再び説明されない。
【０２１７】
図１３は、本願の実施形態による端末デバイス等の通信デバイスの可能な設計構造の簡略化された概略図である。通信デバイスは、図９に示す端末デバイスであってもよい。端末デバイスは、トランシーバ５１と、コントローラ／プロセッサ５２とを含み、更にメモリ５３と、モデム・プロセッサ５４とを含むことができる。
【０２１８】
トランシーバ５１は、（例えば、アナログ変換、フィルタリング、増幅、アップコンバージョンにより）出力サンプルを調整し、アップリンク信号を生成する。アップリンク信号は、前述の実施形態のネットワーク・デバイスへアンテナを介して送信される。上述の実施形態においてダウンリンクでは、アンテナは、基地局によって送信されたダウンリンク信号を受信する。トランシーバ５１は、アンテナを介して受信された信号を（例えば、フィルタリング、増幅、ダウン・コンバージョン、及びデジタル化によって）調整し、入力サンプルを提供する。モデム・プロセッサ５４では、エンコーダ５４１は、アップリンクで送信されるべきサービス・データ及びシグナリング・メッセージを受信し、サービス・データ及びシグナリング・メッセージを処理する（例えば、フォーマットを整え、エンコードし、及びインターリーブする）。変調器５４２は、更に、エンコードされたサービス・データ及びエンコードされたシグナリング・メッセージを処理し（例えば、シンボル・マッピングを実行して変調し）、出力サンプルを提供する。デコーダ５４３は、シンボル推定を処理し（例えば、デインターリーブしてデコードし）、端末デバイスへ送信された、デコードされたデータ及びデコードされたシグナリング・メッセージを提供する。復調器５４４は、入力サンプルを処理し（例えば、復調し）、シンボル推定を提供する。エンコーダ５４１、変調器５４２、デコーダ５４３、及び復調器５４４は、複合モデム・プロセッサ５４によって実装されてもよい。ユニットは、無線アクセス・ネットワークにより使用される無線技術（例えば、ＬＴＥ及び他の進化したシステムのアクセス技術）に基づいて処理を実行する。
【０２１９】
コントローラ／プロセッサ５２は、端末デバイス等の通信デバイスの動作を制御及び管理し、前述の実施形態での端末デバイスによる処理を実行するように構成されている。端末デバイスは、ネットワーク・デバイスによって送信された第１情報を受信し、第１情報に基づいてアップリンク・サブキャリア・マッピング方法を決定する。一例において、コントローラ／プロセッサ５２は、図１又は図４の端末デバイスの内容を実行する際に端末デバイスをサポートするように構成されてもよい。メモリ５３は、端末デバイスにより使用されるプログラム・コード及びデータを記憶するように構成されている。
【０２２０】
前述の実施形態の全て又は一部は、ソフトウェア、ハードウェア、ファームウェア、又はそれらの任意の組み合わせによって実装されてもよい。実施形態を実装するためにソフトウェア・プログラムが使用される場合、実施形態は、完全に又は部分的にコンピュータ・プログラム・プロダクトの形式で実装されてもよい。コンピュータ・プログラム・プロダクトは、１つ以上のコンピュータ命令を含む。コンピュータ・プログラム命令がロードされ、コンピュータで実行されると、本願の実施形態による手順又は機能が全部又は部分的に生じる。コンピュータは、汎用コンピュータ、専用コンピュータ、コンピュータ・ネットワーク、又は他のプログラム可能な装置であってもよい。コンピュータ命令は、コンピュータ読み取り可能な記憶媒体に記憶されてもよいし、あるいはコンピュータ読み取り可能な記憶媒体から別のコンピュータ読み取り可能な記憶媒体へ伝送されてもよい。例えば、コンピュータ命令は、ウェブサイト、コンピュータ、サーバ、又はデータ・センターから、別のウェブサイト、コンピュータ、サーバ、又はデータ・センターへ、有線（例えば、同軸ケーブル、光ファイバ、又はデジタル加入者回線（ｄｉｇｉｔａｌ  ｓｕｂｓｃｒｉｂｅｒ  ｌｉｎｅ，略称ＤＳＬ））、又は無線（例えば、赤外線、無線、又はマイクロ波）の方式で伝送されてもよい。コンピュータ読み取り可能な記憶媒体は、コンピュータによってアクセス可能な任意の利用可能な媒体、あるいは１つ以上の利用可能な媒体を統合するサーバ若しくはデータ・センター等のデータ・ストレージ・デバイスであってもよい。利用可能な媒体は、磁気媒体（例えば、フロッピー・ディスク、ハード・ディスク、又は磁気テープ）、光媒体（例えば、ＤＶＤ）、半導体媒体（例えば、ソリッド・ステート・ドライブ（ｓｏｌｉｄ  ｓｔａｔｅ  ｄｉｓｋ，略称ＳＳＤ））等であってもよい。
【０２２１】
本発明の実施形態は、本願の幾つかの好ましい実装に関連して図示され説明されているが、当業者は、本願の範囲から逸脱することなく、本願における形態及び詳細に種々の変更が行われてよいことを理解すべきである。
【図１】
2020533868.tif 000016
【図２】
2020533868.tif 000017
【図２ａ】
2020533868.tif 000018
【図２ｂ】
2020533868.tif 000019
【図２ｃ】
2020533868.tif 000020
【図３】
2020533868.tif 000021
【図４】
2020533868.tif 000022
【図５】
2020533868.tif 000023
【図５ａ】
2020533868.tif 000024
【図６】
2020533868.tif 000025
【図７】
2020533868.tif 000026
【図８】
2020533868.tif 000027
【図８ａ】
2020533868.tif 000028
【図８ｂ】
2020533868.tif 000029
【図８ｃ】
2020533868.tif 000030
【図９】
2020533868.tif 000031
【図１０】
2020533868.tif 000032
【図１１】
2020533868.tif 000033
【図１２】
2020533868.tif 000034
【図１３】
2020533868.tif 000035
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
通信方法であって：
通信装置により、第１サブキャリアと、ターゲット帯域幅におけるターゲット・リソース・ブロックのセンター・サブキャリア及び前記第１サブキャリア間にあるオフセットとを決定するステップであって、前記オフセットはサブキャリア間隔に関連している、ステップ；
前記通信装置により、信号と、前記信号のキャリア周波数位置と同じ前記第１サブキャリアの周波数位置を決定するステップ；
前記通信装置により、前記信号を送信するステップ；
を含む方法。
【請求項２】
前記オフセットは前記第１サブキャリアのインデックスと前記センター・サブキャリアのインデックスとの間の差の値である、請求項１に記載の方法。
【請求項３】
前記第１サブキャリアを決定するステップは：
前記ターゲット・リソース・ブロックの量及び前記オフセットに従って前記第１サブキャリアを決定するステップ；
を含む、請求項１又は２に記載の方法。
【請求項４】
前記第１オフセットが前記第１サブキャリアのサブキャリア間隔に関連していることは、前記オフセットが前記サブキャリア間隔の識別子μに関連していることを含む、請求項１−３のうちの何れか１項に記載の方法。
【請求項５】
前記第１サブキャリアに対応する前記サブキャリア間隔は、前記ターゲット帯域幅によりサポートされる最大サブキャリア間隔である、請求項１−４のうちの何れか１項に記載の方法。
【請求項６】
前記オフセットはターゲット・リソース・ブロックの量に更に関連している、請求項１−５のうちの何れか１項に記載の方法。
【請求項７】
前記信号の前記キャリア周波数位置は、前記ターゲット帯域幅における前記ターゲット・リソース・ブロックの前記センター・サブキャリアの第１キャリア周波数位置と同じである、請求項１−７のうちの何れか１項に記載の方法。
【請求項８】
前記第１サブキャリアに対応する前記サブキャリア間隔は、キャリアの最大サブキャリア間隔であり、前記キャリアは前記ターゲット帯域幅を含む、請求項１−７のうちの何れか１項の方法。
【請求項９】
通信装置であって：
第１サブキャリアと、ターゲット帯域幅におけるターゲット・リソース・ブロックのセンター・サブキャリア及び前記第１サブキャリア間にあるオフセットであってサブキャリア間隔に関連しているオフセットとを決定し、信号と、前記信号のキャリア周波数位置と同じ前記第１サブキャリアの周波数位置とを決定するように構成されたプロセッサ；
前記信号を送信するように構成された送信機；
を含む装置。
【請求項１０】
前記オフセットは前記第１サブキャリアのインデックスと前記センター・サブキャリアのインデックスとの間の差の値である、請求項９に記載の装置。
【請求項１１】
前記第１サブキャリアを決定することは：
前記ターゲット・リソース・ブロックの量及び前記オフセットに従って前記第１サブキャリアを決定すること；
を含む、請求項９又は１０に記載の装置。
【請求項１２】
前記第１オフセットが前記第１サブキャリアのサブキャリア間隔に関連していることは、前記オフセットが前記サブキャリア間隔の識別子μに関連していることを含む、請求項９−１１のうちの何れか１項に記載の装置。
【請求項１３】
前記第１サブキャリアに対応する前記サブキャリア間隔は、前記ターゲット帯域幅によりサポートされる最大サブキャリア間隔である、請求項９−１２のうちの何れか１項に記載の装置。
【請求項１４】
前記第１オフセットはターゲット・リソース・ブロックの量に更に関連している、請求項９−１３のうちの何れか１項に記載の装置。
【請求項１５】
前記信号の前記キャリア周波数位置は、前記ターゲット帯域幅における前記ターゲット・リソース・ブロックの前記センター・サブキャリアの第１キャリア周波数位置と同じである、請求項９−１４のうちの何れか１項に記載の装置。
【請求項１６】
前記第１サブキャリアに対応する前記サブキャリア間隔は、キャリアの最大サブキャリア間隔であり、前記キャリアは前記ターゲット帯域幅を含む、請求項９−１５のうちの何れか１項の装置。
【請求項１７】
非一時的な媒体に格納されたコンピュータ・プログラムを含むコンピュータ読み取り可能な媒体であって、前記コンピュータ・プログラムは、コンピュータ・ユニットにより実行されると、請求項１−８のうちの何れか１項に記載の通信装置のステップを前記コンピュータ・ユニットに実行させる、媒体。
【請求項１８】
コンピュータ実行可能なプログラム・コードを格納するように構成されたメモリ；及びプロセッサを含む通信装置であって、前記プロセッサが前記命令を実行すると、前記装置は請求項１−８のうちの何れか１項に記載の方法を実行するように構成されている装置。
【国際調査報告】
2020533868.tif 000036
2020533868.tif 000037
2020533868.tif 000038
2020533868.tif 000039